(57)【要約】【課題】有料放送契約を締結可能なＢ−ＣＡＳカードを複数枚使用可能な信号処理装置において生じ得る問題の少なくとも一部を解決した信号処理装置を提供する。【解決手段】信号処理装置は、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、を備える。第１のＢ−ＣＡＳカードと、第２のＢ−ＣＡＳカードとはそれぞれ有料契約を締結可能なＢ−ＣＡＳカードであり、第１のＢ−ＣＡＳカードの大きさと、第２のＢ−ＣＡＳカードの大きさとは異なる。【選択図】図１
2014014068.tif 000002
【特許請求の範囲】
【請求項１】
第１のＢ−ＣＡＳカードを挿入可能な第１のＢ−ＣＡＳカードスロットと、
第２のＢ−ＣＡＳカードを挿入可能な第２のＢ−ＣＡＳカードスロットと、
放送番組を受信し、受信した放送番組に基づいてデスクランブル処理前の番組データを生成するチューナと、
前記チューナにより生成されたデスクランブル処理前の番組データに対して、前記第１のＢ−ＣＡＳカードを使用した第１のデスクランブル処理、及び前記第２のＢ−ＣＡＳカードを使用した第２のデスクランブル処理、を施すことが可能な復号処理部と、を備え、
前記第１のＢ−ＣＡＳカードと、前記第２のＢ−ＣＡＳカードとはそれぞれ有料契約を締結可能なＢ−ＣＡＳカードであり、
前記第１のＢ−ＣＡＳカードスロットの大きさと、前記第２のＢ−ＣＡＳカードスロットの大きさとは異なり、
前記第１のＢ−ＣＡＳカードの大きさと、前記第２のＢ−ＣＡＳカードの大きさとは異なる、
信号処理装置。
【請求項２】
番組単位での録画の指示である第１の指示の受付けと、特定チャンネルについての継続的な録画の指示である第２の指示の受付けとが可能な受付部をさらに備え、
前記復号処理部は、前記第１の指示に基づいて、前記第１のデスクランブル処理を実行し、前記第２の指示に基づいて、前記第２のデスクランブル処理を実行する、
請求項１に記載の信号処理装置。
【請求項３】
第１のＢ−ＣＡＳカードを挿入可能な第１のＢ−ＣＡＳカードスロットと、
第２のＢ−ＣＡＳカードを挿入可能な第２のＢ−ＣＡＳカードスロットと、
放送番組を受信し、受信した放送番組に基づいてデスクランブル処理前の番組データを生成するチューナと、
前記チューナにより生成されたデスクランブル処理前の番組データに対して、前記第１のＢ−ＣＡＳカードを使用した第１のデスクランブル処理、及び前記第２のＢ−ＣＡＳカードを使用した第２のデスクランブル処理、を施すことが可能な復号処理部と、
外部機器へ画像データを出力する出力部とを備え、
前記出力部は、
初期設定時、前記第１のＢ−ＣＡＳカードスロットへの前記第１のＢ−ＣＡＳカードの挿入を使用者に促す第１の案内画面の画像データを出力した後に、前記第２のＢ−ＣＡＳカードスロットへの前記第２のＢ−ＣＡＳカードの挿入を使用者に促す第２の案内画面の画像データを出力し、
前記第１の案内画面の画像データを出力している場合、前記第１のＢ−ＣＡＳカードスロットに前記第１のＢ−ＣＡＳカードが挿入されない限り、前記第２の案内画面の画像データを出力しない、
信号処理装置。
【請求項４】
前記第１のＢ−ＣＡＳカードと、前記第２のＢ−ＣＡＳカードとはそれぞれ有料放送契約を締結可能なＢ−ＣＡＳカードである、
請求項３に記載の信号処理装置。
【請求項５】
放送番組を受信し、受信した放送番組に基づいてデスクランブル処理前の番組データを生成するチューナと、
前記チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、を備え、
前記第１のＢ−ＣＡＳカードと、前記第２のＢ−ＣＡＳカードとはそれぞれ有料契約を締結可能なＢ−ＣＡＳカードであり、
初期設定時において、前記チューナは、使用者によるチャンネル選択の有無に関わらず、有料チャンネルで放送される有料番組を自動的に受信し、前記復号処理部は、前記チューナにより受信された有料番組に対するデスクランブル処理を、前記第１のＢ−ＣＡＳカード及び／または前記第２のＢ−ＣＡＳカードを使用して実行する、
信号処理装置。
【請求項６】
番組単位での録画の指示である第１の指示の受付けと、特定チャンネルについての継続的な録画の指示である第２の指示の受付けとが可能な受付部をさらに備え、
前記復号処理部は、前記第１の指示に基づいて、前記第１のデスクランブル処理を実行し、前記第２の指示に基づいて、前記第２のデスクランブル処理を実行し、
初期設定時において、前記チューナは、使用者によるチャンネル選択の有無に関わらず、有料チャンネルで放送される有料番組を自動的に受信し、前記復号処理部は、前記チューナにより受信された有料番組に対して前記第２のデスクランブル処理を施す、
請求項５に記載の信号処理装置。
【請求項７】
放送番組を受信し、受信した放送番組に基づいてデスクランブル処理前の番組データを生成するチューナと、
前記チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、
前記復号処理部によるデスクランブル処理後の番組データを記憶媒体に記録する記録部と、
前記記憶媒体に記録するチャンネルについて録画指示を受け付ける受付部と、
画面の画像データを出力する出力部と、を備え、
前記第１のＢ−ＣＡＳカードと、前記第２のＢ−ＣＡＳカードとはそれぞれ有料契約を締結可能なＢ−ＣＡＳカードであり、
前記出力部は、前記録画指示を使用者に問い合わせる画面の映像と併せて、使用者により録画候補として選択されているチャンネルに関して前記復号処理部で処理されて得られる映像のデータとを出力する、
信号処理装置。
【請求項８】
前記受付部は、番組単位での録画を指示する第１の指示の受付けと、特定チャンネルについての継続的な録画を指示する第２の指示の受付けとが可能であり、
前記復号処理部は、前記第１の指示に基づいて、前記第１のデスクランブル処理を実行し、前記第２の指示に基づいて、前記第２のデスクランブル処理を実行する、
請求項７に記載の信号処理装置。
【請求項９】
放送番組を受信し、受信した放送番組に基づいてデスクランブル処理前の番組データを生成でき、かつ、データ放送を受信し、受信したデータ放送に基づいてデータ放送画面を生成できるチューナと、
前記チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、
前記データ放送画面、若しくは前記データ放送画面に基づいて生成された画面の画像データを出力できる出力部と、を備え、
前記第１のＢ−ＣＡＳカードと、前記第２のＢ−ＣＡＳカードとはそれぞれ有料契約を締結可能なＢ−ＣＡＳカードであり、
前記第１のＢ−ＣＡＳカードと、前記第２のＢ−ＣＡＳカードとにはそれぞれ固有のカードＩＤが割り当てられており、
前記出力部は、前記第１のＢ−ＣＡＳカードに関する有料放送の案内を使用者に提示する第１の画面の画像データを出力する場合には、前記第１の画面において前記第１のＢ−ＣＡＳカードのカードＩＤを含め、前記第２のＢ−ＣＡＳカードに関する有料放送の案内を使用者に提示する第２の画面の画像データを出力する場合には、前記第２の画面において前記第２のＢ−ＣＡＳカードのカードＩＤを含める、
信号処理装置。
【請求項１０】
前記出力部は、前記Ｂ−ＣＡＳカードに関する有料放送の案内を使用者に提示する画面以外の前記データ放送の画面の画像データ、または当該データ放送の画面に基づいて生成された画面の画像データを出力する場合には、当該データ放送の画面または当該データ放送の画面に基づいて生成された画面において、前記第１のＢ−ＣＡＳカードおよび前記第２のＢ−ＣＡＳカードのうち予め定められた何れか一方のＢ−ＣＡＳカードのカードＩＤを含める、
請求項９に記載の信号処理装置。
【請求項１１】
放送番組を受信し、受信した放送番組に基づいてデスクランブル処理前の番組データを生成するチューナと、
前記チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、
前記復号処理部による前記第１のデスクランブル処理後のデータ、若しくは前記第２のデスクランブル処理後のデータを出力可能な出力部と、
外部から、前記出力部により出力するデータに関する制御信号を受信する受信部と、を備え、
前記第１のＢ−ＣＡＳカードと、前記第２のＢ−ＣＡＳカードとはそれぞれ有料契約を締結可能なＢ−ＣＡＳカードであり、
前記出力部は、前記受信部を介して受信した制御信号に応じて、前記第１のデスクランブル処理後のデータを出力するか、前記第２のデスクランブル処理後のデータを出力するかを切り替える、
信号処理装置。
【請求項１２】
放送番組を受信し、受信した放送番組に基づいてデスクランブル処理前の番組データを生成する第１のチューナと、
放送番組を受信し、受信した放送番組に基づいてデスクランブル処理前の番組データを生成する第２のチューナと、
前記第１のチューナにより生成されたデスクランブル処理前の番組データに対して、有料チャンネルの契約が可能な第１のＢ−ＣＡＳカードを使用した第１のデスクランブル処理を施し、前記第２のチューナにより生成されたデスクランブル処理前の番組データに対して、有料チャンネルの契約が可能な第２のＢ−ＣＡＳカードを使用した第２のデスクランブル処理を施すことが可能な復号処理部と、
番組単位での録画を指示する第１の指示の受付けと、特定チャンネルについての継続的な録画を指示する第２の指示の受付けとが可能な受付部と、
前記第２のＢ−ＣＡＳカードが契約している有料チャンネルに関して、契約更改のために通電すべき期間を特定した通電制御情報を記憶する記憶部と、を備え、
前記復号処理部は、前記第１の指示に基づいて前記第１のデスクランブル処理を実行し、前記第２の指示に基づいて前記第２のデスクランブル処理を実行し、
前記第１のチューナは、前記記憶部に記憶されている通電制御情報に基づいて、前記第２のＢ−ＣＡＳカードに関する有料チャンネルの契約更改に関する情報を含むＥＭＭを受信する、
信号処理装置。
【請求項１３】
前記記憶部は、前記第２のＢ−ＣＡＳカードを特定するための情報と、前記通電制御情報とを対応付けて記憶する、
請求項１２に記載の信号処理装置。
【請求項１４】
放送番組を受信し、受信した放送番組に基づいてデスクランブル処理前の番組データを生成するチューナと、
前記チューナにより生成されたデスクランブル処理前の番組データに対して、有料チャンネルの契約が可能な第１のＢ−ＣＡＳカードを使用した第１のデスクランブル処理、及び有料チャンネルの契約が可能な第２のＢ−ＣＡＳカードを使用した第２のデスクランブル処理を施すことが可能な復号処理部と、
前記第１のＢ−ＣＡＳカード、及び前記第２のＢ−ＣＡＳカードのうち何れか一方のＢ−ＣＡＳカードのみが有料チャンネルの契約を締結している場合に、他方のＢ−ＣＡＳカードについても有料チャンネルの契約を締結するよう使用者に促す画面を出力する出力部と、を備える、
信号処理装置。
【請求項１５】
前記第１のＢ−ＣＡＳカード及び前記第２のＢ−ＣＡＳカードのうち何れか一方のＢ−ＣＡＳカードの状態が変化したことを検知する検知部をさらに備え、
前記出力部は、前記検知部がＢ−ＣＡＳカードの状態が変化したことを検知するのに応じて、前記画面を出力する、
請求項１４に記載の信号処理装置。
【請求項１６】
放送番組を受信し、受信した放送番組に基づいてデスクランブル処理前の番組データを生成するチューナと、
前記チューナにより生成されたデスクランブル処理前の番組データに対して、有料チャンネルの契約が可能な第１のＢ−ＣＡＳカードを使用した第１のデスクランブル処理、及び有料チャンネルの契約が可能な第２のＢ−ＣＡＳカードを使用した第２のデスクランブル処理を施すことが可能な復号処理部と、
前記第１のＢ−ＣＡＳカード及び前記第２のＢ−ＣＡＳカードのうち何れか一方のＢ−ＣＡＳカードの状態が変化したことを検知する検知部と、
前記検知部が前記Ｂ−ＣＡＳカードの状態が変化したことを検知したときに警告画面の画像データを出力する出力部と、を備える、
信号処理装置。
【請求項１７】
前記警告画面は、各Ｂ−ＣＡＳカードについて有料チャンネルの契約を締結するよう使用者に促す画面である、
請求項１６に記載の信号処理装置。
【請求項１８】
放送番組を受信し、受信した放送番組に基づいてデスクランブル処理前の番組データを生成するチューナと、
前記チューナにより生成されたデスクランブル処理前の番組データに対して、有料放送契約を締結可能なＢ−ＣＡＳカードを使用したデスクランブル処理を施すことが可能な復号処理部と、
前記デスクランブル処理を、順次異なるチャンネルの番組データに対して施すよう前記復号処理部を制御し、何れのチャンネルの番組データに対するデスクランブル処理が成功したかを示す情報を記憶媒体に記録する制御部と、を備える、
信号処理装置。
【請求項１９】
前記暗号処理部は、前記チューナにより生成されたデスクランブル処理前の番組データに対して、有料放送契約を締結可能な第１のＢ−ＣＡＳカードを使用した第１のデスクランブル処理、及び有料放送契約を締結可能な第２のＢ−ＣＡＳカードを使用した第２のデスクランブル処理を施すことが可能であり、
前記制御部は、前記第１のデスクランブル処理、及び前記第２のデスクランブル処理を、順次異なるチャンネルの番組データに対して施すよう前記暗号処理部を制御し、何れのチャンネルの番組データに対するデスクランブル処理が成功したかを示す情報を記憶媒体に記録する、
請求項１８に記載の信号処理装置。
【請求項２０】
放送番組を受信し、受信した放送番組に基づいてデスクランブル処理前の番組データを生成するチューナと、
前記チューナにより生成されたデスクランブル処理前の番組データに対して、有料放送契約を締結可能なＢ−ＣＡＳカードを使用したデスクランブル処理を施すことが可能な復号処理部と、
前記Ｂ−ＣＡＳカードにおける各チャンネルの受信状況を示す画面を出力する出力部と、を備える、
信号処理装置。
【請求項２１】
前記復号処理部は、前記チューナにより生成されたデスクランブル処理前の番組データに対して、有料放送契約を締結可能な第１のＢ−ＣＡＳカードを使用した第１のデスクランブル処理、及び有料放送契約を締結可能な第２のＢ−ＣＡＳカードを使用した第２のデスクランブル処理を施すことが可能であり、
前記出力部は、前記第１のＢ−ＣＡＳカードにおける各チャンネルの受信状況を示す画面、及び前記第２のＢ−ＣＡＳカードにおける各チャンネルの受信状況を示す画面の画像データを出力する、
請求項２０に記載の信号処理装置。
【請求項２２】
前記受信状況を示す画面は、前回出力した各チャンネルの受信状況と、現在の各チャンネルの受信状況とを含む、
請求項２０又は２１に記載の信号処理装置。
【請求項２３】
複数のＢ−ＣＡＳカードを挿入可能な信号処理装置であって、
放送メールを受信するチューナと、
前記受信した放送メールが前記複数のＢ−ＣＡＳカードのうちの何れのＢ−ＣＡＳカードに対して送信された放送メールであるかを判断し、該判断結果に基づいて、放送メールとＢ−ＣＡＳカードに関する情報とを対応付けて記憶媒体に記録する記録部と、を備える、
信号処理装置。
【請求項２４】
複数のＢ−ＣＡＳカードを挿入可能な信号処理装置であって、
放送メールを受信するチューナと、
前記受信した放送メールを記憶する記憶部と、
前記記憶部に記憶されている放送メールと、該放送メールが前記複数のＢ−ＣＡＳカードのうちの何れのＢ−ＣＡＳカードに対して送信された放送メールであるかを示す情報とを対応付けた画面を出力する出力部と、を備える、
信号処理装置。
【請求項２５】
前記画面は、放送メールが送信されたＢ−ＣＡＳカードのＢ−ＣＡＳカードスロットの位置を示す情報がさらに対応付けられている、
請求項２４に記載の信号処理装置。
【請求項２６】
前記画面は、放送メールが送信されたＢ−ＣＡＳカードが存在しない場合に、その旨が分かる表示を含む、
請求項２４又は２５に記載の信号処理装置。
【請求項２７】
Ｂ−ＣＡＳカードを挿入可能なＢ−ＣＡＳカードスロットと、
前記Ｂ−ＣＡＳカードスロットに挿入されているＢ−ＣＡＳカードが新たなＢ−ＣＡＳカードに変更されたことを検出する検出部と、
前記検出部がＢ−ＣＡＳカードの変更を検出したときに警告画面の画像データを出力する出力部と、を備える、
信号処理装置。
【請求項２８】
放送番組と自動表示メッセージとを受信し、受信した放送番組と自動表示メッセージとに基づいてデスクランブル処理前の番組データと自動表示メッセージデータとを生成するチューナと、
前記チューナにより生成されたデスクランブル処理前の番組データに対して、有料放送契約を締結可能な第１のＢ−ＣＡＳカードを使用した第１のデスクランブル処理、及び有料放送契約を締結可能な第２のＢ−ＣＡＳカードを使用した第２のデスクランブル処理を施すことが可能な復号処理部と、
前記第１のデスクランブル処理が施されたデスクランブル処理後の番組データに対しては、前記自動表示メッセージを重畳し、前記自動表示メッセージが重畳された番組データを出力可能である一方、前記第２のデスクランブル処理を施されたデスクランブル処理後の番組データに対しては、前記自動表示メッセージを重畳せず、前記自動表示メッセージが重畳されていない番組データを出力する出力部と、を備える、
信号処理装置。
【請求項２９】
番組単位での録画の指示である第１の指示の受付けと、特定チャンネルについての継続的な録画指示である第２の指示の受付けとが可能な受付部をさらに備え、
前記復号処理部は、前記第１の指示に基づいて、前記第１のデスクランブル処理を実行し、前記第２の指示に基づいて、前記第２のデスクランブル処理を実行する、
請求項２８に記載の信号処理装置。
【請求項３０】
前記自動表示メッセージは、日本放送協会により放送されるメッセージである、
請求項２８又は２９に記載の信号処理装置。
【請求項３１】
複数のＢ−ＣＡＳカードを挿入可能な複数のＢ−ＣＡＳカードスロットと、
アンテナを介して放送番組を受信し、受信した放送番組に基づいてデスクランブル処理前の番組データを生成するチューナと、
前記チューナにより生成されたデスクランブル処理前の番組データに対して、前記複数のＢ−ＣＡＳカードスロットのうちの何れかのＢ−ＣＡＳカードスロットに挿入されているＢ−ＣＡＳカードを用いたデスクランブル処理を施すことが可能な復号処理部と、
前記複数のＢ−ＣＡＳカード毎に録画予約設定が可能であり、前記録画予約設定に応じて、前記復号処理部により生成されたデスクランブル処理後の番組データを記憶媒体に記録する記録部と、
前記複数のＢ−ＣＡＳカード毎に、前記録画予約設定されているチャンネルを示す情報と、前記録画予約設定されているチャンネルの視聴可否に関する情報とを対応付けた情報を出力する出力部と、を備える、
信号処理装置。
【請求項３２】
前記出力部は、前記複数のＢ−ＣＡＳカード毎に、前記録画予約設定されているチャンネルを示す情報と、前記録画予約設定されているチャンネルの視聴可否に関する情報と、前記アンテナの受信感度に関する情報とを対応付けて出力する、
請求項３１に記載の信号処理装置。
【請求項３３】
有料契約を締結可能な第１のＢ−ＣＡＳカードを挿入可能な第１のＢ−ＣＡＳカードスロットと、
有料契約を締結可能な第２のＢ−ＣＡＳカードを挿入可能な第２のＢ−ＣＡＳカードスロットと、
放送番組を受信し、受信した放送番組に基づいてデスクランブル処理前の番組データを生成するチューナと、
前記チューナにより生成されたデスクランブル処理前の番組データに対して、前記第１のＢ−ＣＡＳカードを使用した第１のデスクランブル処理、及び前記第２のＢ−ＣＡＳカードを使用した第２のデスクランブル処理、を施すことが可能な復号処理部と、
前記第１のＢ−ＣＡＳカード、及び前記第２のＢ−ＣＡＳカードに対して、それぞれを区別するためのシールを貼るように使用者に促す画面を出力する出力部と、を備える、
信号処理装置。
【請求項３４】
前記出力部は、前記それぞれを区別するためのシールを貼るように使用者に促す画面を初期設定時に出力する、
請求項３３に記載の信号処理装置。
【請求項３５】
複数のＢ−ＣＡＳカードを挿入可能な複数のＢ−ＣＡＳカードスロットと、
設定されているチャンネルで放送される放送番組を受信し、受信した放送番組に基づいてデスクランブル処理前の番組データを生成するチューナと、
前記チューナにより生成されたデスクランブル処理前の番組データに対して、前記複数のＢ−ＣＡＳカードのうちの何れかのＢ−ＣＡＳカードを使用したデスクランブル処理を施し、デスクランブル処理後の番組データを記憶媒体に記録する記録部と、
前記記録部が記録する番組データの元となる放送番組が放送されるチャンネル設定を、前記複数のＢ−ＣＡＳカードのうちの各Ｂ−ＣＡＳカードごとに、受け付け可能な受付部と、
前記各Ｂ−ＣＡＳカードに関する情報と、前記各Ｂ−ＣＡＳカードに設定されているチャンネルに関する情報とを対応付けた画面の画像データを出力する出力部と、を備える、
信号処理装置。
【請求項３６】
前記複数のＢ−ＣＡＳカードは、有料放送契約を締結可能なＢ−ＣＡＳカードである、
請求項３５に記載の信号処理装置。
【請求項３７】
有料放送契約を締結可能な複数のＢ−ＣＡＳカードを挿入可能な複数のＢ−ＣＡＳカードスロットと、
前記複数のＢ−ＣＡＳカードのうちの一部のＢ−ＣＡＳカードの情報を示す画面であって、前記一部のＢ−ＣＡＳカード以外のＢ−ＣＡＳカードの有料放送契約に関するメッセージを含む画面の画像データを出力する出力部と、を備える、
信号処理装置。
【請求項３８】
有料放送契約を締結可能な複数のＢ−ＣＡＳカードを挿入可能な複数のＢ−ＣＡＳカードスロットと、
前記複数のＢ−ＣＡＳカードのうちの全部又は一部のＢ−ＣＡＳカードの情報を示す画面であって、同時に記録できる有料放送の最大のチャンネル数に関する情報を含む画面を出力する出力部と、を備える、
信号処理装置。
【請求項３９】
複数のＢ−ＣＡＳカードを挿入可能な複数のＢ−ＣＡＳカードスロットと、
前記複数のＢ−ＣＡＳカードのうちの何れのＢ−ＣＡＳカードがデータ放送に使用されるＢ−ＣＡＳカードのカードＩＤを割り当てられている代表カードであるかを示す画面を出力する出力部と、を備える、
信号処理装置。
【請求項４０】
特定の種類のＢ−ＣＡＳカードを挿入するためのＢ−ＣＡＳカードスロットと、
前記Ｂ−ＣＡＳカードスロットに挿入されたＢ−ＣＡＳカードが前記特定の種類のＢ−ＣＡＳカードであるか否かを判断でき、自装置が初期設定動作中か否かを判断できるコントローラと、を備え、
前記コントローラは、自装置が初期設定動作中か否かに応じて、前記Ｂ−ＣＡＳカードスロットに挿入されているＢ−ＣＡＳカードが前記特定の種類のＢ−ＣＡＳカードでない場合に異なる処理をする、
信号処理装置。
【請求項４１】
有料放送契約を締結可能な第１のＢ−ＣＡＳカードを挿入可能な第１のＢ−ＣＡＳカードスロットと、
有料放送契約を締結可能な第２のＢ−ＣＡＳカードを挿入可能な第２のＢ−ＣＡＳカードスロットと、
放送番組を受信し、受信した放送番組に基づいてデスクランブル処理前の番組データを生成するチューナと、
前記チューナにより生成されたデスクランブル処理前の番組データに対して、前記第１のＢ−ＣＡＳカードを使用した第１のデスクランブル処理、及び前記第２のＢ−ＣＡＳカードを使用した第２のデスクランブル処理、を施すことが可能な復号処理部と、
前記第１のＢ−ＣＡＳカード若しくは前記第２のＢ−ＣＡＳカードのカードＩＤを示す情報を含んでおり、有料放送契約の締結を使用者に案内する画面を示す第１の画像データを出力する前に、前記暗号処理部がデスクランブル処理に使用するＢ−ＣＡＳカードを使用者に選択させる画面を示す第２の画像データを出力する出力部と、を備える、
信号処理装置。
【請求項４２】
前記第１の画像データは、前記第１のＢ−ＣＡＳカード若しくは前記第２のＢ−ＣＡＳカードの有料放送契約の契約状態を示す情報を含む、
請求項４１に記載の信号処理装置。
【発明の詳細な説明】
【技術分野】
【０００１】
本開示は、有料放送契約を締結可能な複数枚のデスクランブル処理用のカード（例えば、Ｂ−ＣＡＳカード）を使用でき、そのカードを用いてデータのデスクランブル処理を行う信号処理装置に関する。
【背景技術】
【０００２】
特許文献１は、番組記録再生装置を開示する。この番組記録再生装置は、３つのチューナを備える。この番組記録再生装置は、３つのチューナで同時に受信した番組をハードディスクに記録する。
【０００３】
これにより、この番組記録再生装置は、複数番組の同時録画を実現できる。
【先行技術文献】
【特許文献】
【０００４】
【特許文献１】特開２００７−９６３６８号公報
【発明の概要】
【発明が解決しようとする課題】
【０００５】
一般に、受信した番組をデスクランブル処理する場合、Ｂ−ＣＡＳカード（Ｂ−ＣＡＳ：登録商標）が必要になる。Ｂ−ＣＡＳカードとは、Ｂ−ＣＡＳ社により発行されているＩＣカードであり、放送番組のデスクランブル処理に用いられるＩＣカードである。１枚のＢ−ＣＡＳカードでデスクランブル処理できる番組数には制限がある。例えば、１枚のＢ−ＣＡＳカードで３番組まで処理することができるよう制限されている。
【０００６】
特許文献１に開示されている番組記録再生装置においては、同時に受信する番組が３番組である。従って、この場合、１枚のＢ−ＣＡＳカードを使用するだけで、同時に受信した全ての放送番組のデスクランブル処理を実行できる。
【０００７】
１つの番組記録再生装置において、１枚のＢ−ＣＡＳカードで同時に処理できる数よりも多い番組を同時に受信したい場合も考えられる。この場合、番組記録再生装置において、複数枚のＢ−ＣＡＳカードがデスクランブル処理のために必要となる。
【０００８】
また、有料放送に関する放送事業者との契約はＢ−ＣＡＳカード毎に行う必要がある。複数枚のＢ−ＣＡＳカードが存在し、一部のＢ−ＣＡＳカードのみ有料放送に関する契約を締結しているような場合には、何れのＢ−ＣＡＳカードが有料放送契約を締結しているＢ−ＣＡＳカードであるかが使用者にとって判別できなくなってしまう恐れがある。
【０００９】
また、有料放送の無料視聴期間はＢ−ＣＡＳカード毎に設けられる。従って、使用者が、各Ｂ−ＣＡＳカードの無料視聴期間を順番に活用することで、無料視聴期間を実質的に延長することができる。このような事態は、有料放送の放送事業者にとって好ましくない。
【００１０】
このように、有料放送契約を締結できるＢ−ＣＡＳカードを複数枚使用できるような装置においては、様々な問題が存在する。
【００１１】
本開示は、有料放送契約を締結可能なデスクランブル処理用カード（例えば、Ｂ−ＣＡＳカード）を複数枚使用可能な信号処理装置において生じ得る問題の少なくとも一部を解決できる信号処理装置を提供する。
【課題を解決するための手段】
【００１２】
本開示における第１の信号処理装置は、第１のＢ−ＣＡＳカードを挿入可能な第１のＢ−ＣＡＳカードスロットと、第２のＢ−ＣＡＳカードを挿入可能な第２のＢ−ＣＡＳカードスロットと、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び前記第２のＢ−ＣＡＳカードを使用した第２のデスクランブル処理、を施すことが可能な復号処理部と、を備える。第１のＢ−ＣＡＳカードと、第２のＢ−ＣＡＳカードとはそれぞれ有料契約を締結可能なＢ−ＣＡＳカードである。第１のＢ−ＣＡＳカードスロットの大きさと、前記第２のＢ−ＣＡＳカードスロットの大きさとは異なり、第１のＢ−ＣＡＳカードの大きさと、前記第２のＢ−ＣＡＳカードの大きさとは異なる。
【００１３】
本開示における第２の信号処理装置は、第１のＢ−ＣＡＳカードを挿入可能な第１のＢ−ＣＡＳカードスロットと、第２のＢ−ＣＡＳカードを挿入可能な第２のＢ−ＣＡＳカードスロットと、放送番組を受信し、受信した放送番組に基づいてデスクランブル処理前の番組データを生成するチューナと、チューナにより生成されたデスクランブル処理前の番組データに対して、前記第１のＢ−ＣＡＳカードを使用した第１のデスクランブル処理、及び第２のＢ−ＣＡＳカードを使用した第２のデスクランブル処理、を施すことが可能な復号処理部と、外部機器へ画像データを出力する出力部とを備える。出力部は、初期設定時、第１のＢ−ＣＡＳカードスロットへの第１のＢ−ＣＡＳカードの挿入を使用者に促す第１の案内画面の画像データを出力した後に、第２のＢ−ＣＡＳカードスロットへの第２のＢ−ＣＡＳカードの挿入を使用者に促す第２の案内画面の画像データを出力し、第１の案内画面の画像データを出力している場合、第１のＢ−ＣＡＳカードスロットに第１のＢ−ＣＡＳカードが挿入されない限り、第２の案内画面の画像データを出力しない。
【００１４】
本開示における第３の信号処理装置は、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、を備える。第１のＢ−ＣＡＳカードと、第２のＢ−ＣＡＳカードとはそれぞれ有料契約を締結可能なＢ−ＣＡＳカードである。初期設定時において、チューナは、使用者によるチャンネル選択の有無に関わらず、有料チャンネルで放送される有料番組を自動的に受信し、復号処理部は、チューナにより受信された有料番組に対するデスクランブル処理を、第１のＢ−ＣＡＳカード及び／または第２のＢ−ＣＡＳカードを使用して実行する。
【００１５】
本開示における第４の信号処理装置は、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、復号処理部によるデスクランブル処理後の番組データを記憶媒体に記録する記録部と、記憶媒体に記録するチャンネルについて録画指示を受け付ける受付部と、画面の画像データを出力する出力部と、を備える。第１のＢ−ＣＡＳカードと、第２のＢ−ＣＡＳカードとはそれぞれ有料契約を締結可能なＢ−ＣＡＳカードである。出力部は、録画指示を使用者に問い合わせる画面の映像と併せて、使用者により録画候補として選択されているチャンネルに関して復号処理部で処理されて得られる映像のデータとを出力する。
【００１６】
本開示における第５の信号処理装置は、放送番組を受信し、受信した放送番組に基づいてデスクランブル処理前の番組データを生成でき、かつ、データ放送を受信し、受信したデータ放送に基づいてデータ放送画面を生成できるチューナと、チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、データ放送画面、若しくはデータ放送画面に基づいて生成された画面の画像データを出力できる出力部と、を備える。第１のＢ−ＣＡＳカードと、第２のＢ−ＣＡＳカードとはそれぞれ有料契約を締結可能なＢ−ＣＡＳカードである。第１のＢ−ＣＡＳカードと、第２のＢ−ＣＡＳカードとにはそれぞれ固有のカードＩＤが割り当てられている。出力部は、第１のＢ−ＣＡＳカードに関する有料放送の案内を使用者に提示する第１の画面の画像データを出力する場合には、第１の画面において第１のＢ−ＣＡＳカードのカードＩＤを含め、第２のＢ−ＣＡＳカードに関する有料放送の案内を使用者に提示する第２の画面の画像データを出力する場合には、第２の画面において前記第２のＢ−ＣＡＳカードのカードＩＤを含める。
【００１７】
本開示における第６の信号処理装置は、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、復号処理部による第１のデスクランブル処理後のデータ、若しくは第２のデスクランブル処理後のデータを出力可能な出力部と、外部から、出力部により出力するデータに関する制御信号を受信する受信部と、を備える。第１のＢ−ＣＡＳカードと、第２のＢ−ＣＡＳカードとはそれぞれ有料契約を締結可能なＢ−ＣＡＳカードである。出力部は、受信部を介して受信した制御信号に応じて、第１のデスクランブル処理後のデータを出力するか、第２のデスクランブル処理後のデータを出力するかを切り替える。
【００１８】
本開示における第７の信号処理装置は、放送番組を受信し、受信した放送番組に基づいてデスクランブル処理前の番組データを生成する第１のチューナと、放送番組を受信し、受信した放送番組に基づいてデスクランブル処理前の番組データを生成する第２のチューナと、第１のチューナにより生成されたデスクランブル処理前の番組データに対して、有料チャンネルの契約が可能な第１のＢ−ＣＡＳカードを使用した第１のデスクランブル処理を施し、前記第２のチューナにより生成されたデスクランブル処理前の番組データに対して、有料チャンネルの契約が可能な第２のＢ−ＣＡＳカードを使用した第２のデスクランブル処理を施すことが可能な復号処理部と、番組単位での録画を指示する第１の指示の受付けと、特定チャンネルについての継続的な録画を指示する第２の指示の受付けとが可能な受付部と、第２のＢ−ＣＡＳカードが契約している有料チャンネルに関して、契約更改のために通電すべき期間を特定した通電制御情報を記憶する記憶部と、を備える。復号処理部は、第１の指示に基づいて第１のデスクランブル処理を実行し、第２の指示に基づいて第２のデスクランブル処理を実行する。第１のチューナは、記憶部に記憶されている通電制御情報に基づいて、第２のＢ−ＣＡＳカードに関する有料チャンネルの契約更改に関する情報を含むＥＭＭを受信する。
【００１９】
本開示における第８の信号処理装置は、放送番組を受信し、受信した放送番組に基づいてデスクランブル処理前の番組データを生成するチューナと、チューナにより生成されたデスクランブル処理前の番組データに対して、有料チャンネルの契約が可能な第１のＢ−ＣＡＳカードを使用した第１のデスクランブル処理、及び有料チャンネルの契約が可能な第２のＢ−ＣＡＳカードを使用した第２のデスクランブル処理を施すことが可能な復号処理部と、第１のＢ−ＣＡＳカード、及び第２のＢ−ＣＡＳカードのうち何れか一方のＢ−ＣＡＳカードのみが有料チャンネルの契約を締結している場合に、他方のＢ−ＣＡＳカードについても有料チャンネルの契約を締結するよう使用者に促す画面を出力する出力部と、を備える。
【００２０】
本開示における第９の信号処理装置は、放送番組を受信し、受信した放送番組に基づいてデスクランブル処理前の番組データを生成するチューナと、チューナにより生成されたデスクランブル処理前の番組データに対して、有料チャンネルの契約が可能な第１のＢ−ＣＡＳカードを使用した第１のデスクランブル処理、及び有料チャンネルの契約が可能な第２のＢ−ＣＡＳカードを使用した第２のデスクランブル処理を施すことが可能な復号処理部と、第１のＢ−ＣＡＳカード及び第２のＢ−ＣＡＳカードのうち何れか一方のＢ−ＣＡＳカードの状態が変化したことを検知する検知部と、検知部がＢ−ＣＡＳカードの状態が変化したことを検知したときに警告画面を出力する出力部と、を備える、
信号処理装置。
【００２１】
本開示における第１０の信号処理装置は、放送番組を受信し、受信した放送番組に基づいてデスクランブル処理前の番組データを生成するチューナと、チューナにより生成されたデスクランブル処理前の番組データに対して、有料放送契約を締結可能なＢ−ＣＡＳカードを使用したデスクランブル処理を施すことが可能な復号処理部と、デスクランブル処理を、順次異なるチャンネルの番組データに対して施すよう復号処理部を制御し、何れのチャンネルの番組データに対するデスクランブル処理が成功したかを示す情報を記憶媒体に記録する制御部と、を備える。
【００２２】
本開示における第１１の信号処理装置は、放送番組を受信し、受信した放送番組に基づいてデスクランブル処理前の番組データを生成するチューナと、チューナにより生成されたデスクランブル処理前の番組データに対して、有料放送契約を締結可能なＢ−ＣＡＳカードを使用したデスクランブル処理を施すことが可能な復号処理部と、Ｂ−ＣＡＳカードにおける各チャンネルの受信状況を示す画面を出力する出力部と、を備える。
【００２３】
本開示における第１２の信号処理装置は、複数のＢ−ＣＡＳカードを挿入可能な信号処理装置であって、放送メールを受信するチューナと、受信した放送メールが複数のＢ−ＣＡＳカードのうちの何れのＢ−ＣＡＳカードに対して送信された放送メールであるかを判断し、該判断結果に基づいて、放送メールとＢ−ＣＡＳカードに関する情報とを対応付けて記憶媒体に記録する記録部と、を備える。
【００２４】
本開示における第１３の信号処理装置は、複数のＢ−ＣＡＳカードを挿入可能な信号処理装置であって、放送メールを受信するチューナと、受信した放送メールを記憶する記憶部と、記憶部に記憶されている放送メールと、放送メールが複数のＢ−ＣＡＳカードのうちの何れのＢ−ＣＡＳカードに対して送信された放送メールであるかを示す情報とを対応付けた画面を出力する出力部と、を備える。
【００２５】
本開示における第１４の信号処理装置は、Ｂ−ＣＡＳカードを挿入可能なＢ−ＣＡＳカードスロットと、Ｂ−ＣＡＳカードスロットに挿入されているＢ−ＣＡＳカードが新たなＢ−ＣＡＳカードに変更されたことを検出する検出部と、検出部がＢ−ＣＡＳカードの変更を検出したときに警告画面の画像データを出力する出力部と、を備える。
【００２６】
本開示における第１５の信号処理装置は、放送番組と自動表示メッセージとを受信し、受信した放送番組と自動表示メッセージとに基づいてデスクランブル処理前の番組データと自動表示メッセージデータとを生成するチューナと、チューナにより生成されたデスクランブル処理前の番組データに対して、有料放送契約を締結可能な第１のＢ−ＣＡＳカードを使用した第１のデスクランブル処理、及び有料放送契約を締結可能な第２のＢ−ＣＡＳカードを使用した第２のデスクランブル処理を施すことが可能な復号処理部と、第１のデスクランブル処理が施されたデスクランブル処理後の番組データに対しては、自動表示メッセージを重畳し、自動表示メッセージが重畳された番組データを出力可能である一方、第２のデスクランブル処理を施されたデスクランブル処理後の番組データに対しては、自動表示メッセージを重畳せず、自動表示メッセージが重畳されていない番組データを出力する出力部と、を備える。
【００２７】
本開示における第１６の信号処理装置は、複数のＢ−ＣＡＳカードを挿入可能な複数のＢ−ＣＡＳカードスロットと、アンテナを介して放送番組を受信し、受信した放送番組に基づいてデスクランブル処理前の番組データを生成するチューナと、チューナにより生成されたデスクランブル処理前の番組データに対して、複数のＢ−ＣＡＳカードスロットのうちの何れかのＢ−ＣＡＳカードスロットに挿入されているＢ−ＣＡＳカードを用いたデスクランブル処理を施すことが可能な復号処理部と、複数のＢ−ＣＡＳカード毎に録画予約設定が可能であり、録画予約設定に応じて、復号処理部により生成されたデスクランブル処理後の番組データを記憶媒体に記録する記録部と、複数のＢ−ＣＡＳカード毎に、録画予約設定されているチャンネルを示す情報と、録画予約設定されているチャンネルの視聴可否に関する情報とを対応付けた情報を出力する出力部と、を備える。
【００２８】
本開示における第１７の信号処理装置は、有料契約を締結可能な第１のＢ−ＣＡＳカードを挿入可能な第１のＢ−ＣＡＳカードスロットと、有料契約を締結可能な第２のＢ−ＣＡＳカードを挿入可能な第２のＢ−ＣＡＳカードスロットと、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び第２のＢ−ＣＡＳカードを使用した第２のデスクランブル処理、を施すことが可能な復号処理部と、第１のＢ−ＣＡＳカード、及び前記第２のＢ−ＣＡＳカードに対して、それぞれを区別するためのシールを貼るように使用者に促す画面を出力する出力部と、を備える。
【００２９】
本開示における第１８の信号処理装置は、複数のＢ−ＣＡＳカードを挿入可能な複数のＢ−ＣＡＳカードスロットと、設定されているチャンネルで放送される放送番組を受信し、受信した放送番組に基づいてデスクランブル処理前の番組データを生成するチューナと、チューナにより生成されたデスクランブル処理前の番組データに対して、前記複数のＢ−ＣＡＳカードのうちの何れかのＢ−ＣＡＳカードを使用したデスクランブル処理を施し、デスクランブル処理後の番組データを記憶媒体に記録する記録部と、記録部が記録する番組データの元となる放送番組が放送されるチャンネル設定を、前記複数のＢ−ＣＡＳカードのうちの各Ｂ−ＣＡＳカードごとに、受け付け可能な受付部と、各Ｂ−ＣＡＳカードに関する情報と、前記各Ｂ−ＣＡＳカードに設定されているチャンネルに関する情報とを対応付けた画面の画像データを出力する出力部と、を備える。
【００３０】
本開示における第１９の信号処理装置は、有料放送契約を締結可能な複数のＢ−ＣＡＳカードを挿入可能な複数のＢ−ＣＡＳカードスロットと、複数のＢ−ＣＡＳカードのうちの一部のＢ−ＣＡＳカードの情報を示す画面であって、一部のＢ−ＣＡＳカード以外のＢ−ＣＡＳカードの有料放送契約に関するメッセージを含む画面の画像データを出力する出力部と、を備える。
【００３１】
本開示における第２０の信号処理装置は、有料放送契約を締結可能な複数のＢ−ＣＡＳカードを挿入可能な複数のＢ−ＣＡＳカードスロットと、複数のＢ−ＣＡＳカードのうちの全部又は一部のＢ−ＣＡＳカードの情報を示す画面であって、同時に記録できる有料放送の最大のチャンネル数に関する情報を含む画面を出力する出力部と、を備える。
【００３２】
本開示における第２１の信号処理装置は、複数のＢ−ＣＡＳカードを挿入可能な複数のＢ−ＣＡＳカードスロットと、複数のＢ−ＣＡＳカードのうちの何れのＢ−ＣＡＳカードがデータ放送に使用されるＢ−ＣＡＳカードのカードＩＤを割り当てられている代表カードであるかを示す画面を出力する出力部と、を備える。
【００３３】
本開示における第２２の信号処理装置は、特定の種類のＢ−ＣＡＳカードを挿入するためのＢ−ＣＡＳカードスロットと、Ｂ−ＣＡＳカードスロットに挿入されたＢ−ＣＡＳカードが前記特定の種類のＢ−ＣＡＳカードであるか否かを判断でき、自装置が初期設定動作中か否かを判断できるコントローラと、を備える。コントローラは、自装置が初期設定動作中か否かに応じて、Ｂ−ＣＡＳカードスロットに挿入されているＢ−ＣＡＳカードが特定の種類のＢ−ＣＡＳカードでない場合に異なる処理をする。
【００３４】
本開示における第２３の信号処理装置は、有料放送契約を締結可能な第１のＢ−ＣＡＳカードを挿入可能な第１のＢ−ＣＡＳカードスロットと、有料放送契約を締結可能な第２のＢ−ＣＡＳカードを挿入可能な第２のＢ−ＣＡＳカードスロットと、放送番組を受信し、受信した放送番組に基づいてデスクランブル処理前の番組データを生成するチューナと、チューナにより生成されたデスクランブル処理前の番組データに対して、第１のＢ−ＣＡＳカードを使用した第１のデスクランブル処理、及び前記第２のＢ−ＣＡＳカードを使用した第２のデスクランブル処理、を施すことが可能な復号処理部と、第１のＢ−ＣＡＳカード若しくは前記第２のＢ−ＣＡＳカードのカードＩＤを示す情報を含んでおり、有料放送契約の締結を使用者に案内する画面を示す第１の画像データを出力する前に、暗号処理部がデスクランブル処理に使用するＢ−ＣＡＳカードを使用者に選択させる画面を示す第２の画像データを出力する出力部と、を備える。
【発明の効果】
【００３５】
本開示によれば、有料放送契約を締結可能なＢ−ＣＡＳカードを複数枚挿入可能な信号処理装置において生ずる問題の少なくとも一部を解決できる信号処理装置を提供できる。
【図面の簡単な説明】
【００３６】
【図１】実施形態１にかかるＢＤレコーダ１００の外観斜視図
【図２】実施形態１にかかるＢＤレコーダ１００の背面を示す外観模式図
【図３】実施形態１にかかるＢＤレコーダ１００の電気的構成を示すブロック図
【図４】実施形態１にかかる初期設定動作（お買い上げ設定動作）を説明するためのフローチャート
【図５】実施形態１にかかる初期設定動作（お買い上げ設定動作）時の表示画面を示す模式図
【図６】実施形態１にかかる初期設定動作（お買い上げ設定動作）時の表示画面を示す模式図
【図７】実施形態１にかかる初期設定動作（お買い上げ設定動作）時の表示画面を示す模式図
【図７Ｂ】実施形態１にかかる初期設定動作（お買い上げ設定動作）お買い上げ設定時の表示画面を示す模式図
【図８】実施形態１にかかる初期設定動作（お買い上げ設定動作）時の表示画面を示す模式図
【図９】実施形態１にかかる初期設定動作（お買い上げ設定動作）時の表示画面を示す模式図
【図１０】実施形態１にかかるタイムシフト録画予約の事前処理を示すフローチャート
【図１１】実施形態１にかかるタイムシフト録画の予約動作を示すフローチャート
【図１２】実施形態１にかかるタイムシフト録画の予約画面の模式図
【図１３】実施形態１にかかるタイムシフト録画の予約画面の模式図
【図１４】実施形態１にかかるタイムシフト録画の予約画面の模式図
【図１５】実施形態１にかかる有料放送契約に関する問い合わせ画面の模式図
【図１６】実施形態１にかかる有料放送契約を使用者に促す画面の模式図
【図１７】実施形態１にかかる視聴時のＢ−ＣＡＳカードの切替動作を説明するためのフローチャート
【図１８】実施形態１にかかる通電制御情報の取得動作を説明するためのフローチャート
【図１９】実施形態１にかかる通電制御情報に基づいて、ＥＭＭを取得する動作を説明するためのフローチャート
【図２０】実施形態１にかかる有料放送契約に関する警告画面表示動作を説明するためのフローチャート
【図２１】実施形態１にかかる警告画面の表示例を示す模式図
【図２２】実施形態１にかかる共用Ｂ−ＣＡＳカードの受信状況確認動作を示すフローチャート
【図２３】実施形態１にかかる受信状況の確認結果のログファイルを説明するための模式図
【図２４】実施形態１にかかる共用Ｂ−ＣＡＳカードの受信状況表示動作を示すフローチャート
【図２５】実施形態１にかかる受信状況の表示画面を説明するための模式図
【図２６】実施形態１にかかる放送メールの受信動作を示すフローチャート
【図２７】実施形態１にかかる放送メールの一覧表示動作を示すフローチャート
【図２８】実施形態１にかかる放送メールの一覧表示画面を説明するための模式図
【図２９】実施形態１にかかる共用Ｂ−ＣＡＳカードが入れ替えられた場合の動作を示すフローチャート
【図３０】実施形態１にかかる共用Ｂ−ＣＡＳカードが入れ替えられた場合の警告画面を示す模式図
【図３１】実施形態１にかかるＮＨＫ自動表示メッセージの表示動作を示すフローチャート
【図３２】実施形態１にかかるＮＨＫ自動表示メッセージを説明するための模式図
【図３３】実施形態１にかかる録画予約状況の一覧画面の表示動作を示すフローチャート
【図３４】実施形態１にかかる録画予約状況の一覧画面を説明するための模式図
【図３５】実施形態１にかかる有料放送契約の案内画面の表示動作を示すフローチャート
【図３６】実施形態１にかかるＣＡ（Ｃｏｎｄｉｔｉｏｎａｌ  Ａｃｃｅｓｓ）代替メニューの表示例を示す模式図
【図３７】実施形態１にかかる有料放送契約を行うＢ−ＣＡＳカードの選択画面の表示例を示す模式図
【図３８】実施形態１にかかる有料放送契約の案内画面の表示例を示す模式図
【図３９】実施形態２にかかるＢＤレコーダ１００の背面を示す外観模式図
【図４０】実施形態２にかかるＢＤレコーダ１００の電気的構成を示すブロック図
【図４１】実施形態２にかかる初期設定動作（お買い上げ設定動作）時の表示画面を示す模式図
【図４２】実施形態２にかかる初期設定動作（お買い上げ設定動作）時の表示画面を示す模式図
【図４３】実施形態３にかかる通電制御情報に基づいて、ＥＭＭを取得する動作を説明するためのフローチャート
【図４４】他の実施形態にかかるタイムシフト録画設定画面を示す模式図
【図４４Ｂ】他の実施形態にかかるＢ−ＣＡＳカードの状況の変化を検出したときに表示される画面を示す図
【図４５】他の実施形態にかかる初期設定動作（お買い上げ設定動作）時の表示画面を示す模式図
【図４６】他の実施形態にかかる共用Ｂ−ＣＡＳカードが入れ替えられた場合の警告画面を示す模式図
【図４７】他の実施形態にかかる初期設定動作（お買い上げ設定動作）時の表示画面を示す模式図
【図４８】他の実施形態にかかる初期設定動作（お買い上げ設定動作）時の表示画面を示す模式図
【図４９】他の実施形態にかかる初期設定動作（お買い上げ設定動作）時の表示画面を示す模式図
【図５０】他の実施形態にかかるＢ−ＣＡＳカード挿入時の動作を説明するためのフローチャート
【図５１】他の実施形態にかかる一部のスロットにおいてＢ−ＣＡＳカードが挿入されていない場合に表示される警告画面を示す図
【図５２】他の実施形態にかかるＢＤレコーダの電気的構成を示すブロック図
【図５２Ｂ】タイムシフト録画用のチャンネルを設定するための設定画面を示す図
【図５３Ａ】他の実施形態にかかる第１および第２の録画チャンネルの自動割当て動作を説明するためのフローチャート
【図５３Ｂ】他の実施形態にかかる第１の録画チャンネルの自動割当て動作を説明するためのフローチャート（つづき）
【図５３Ｃ】他の実施形態にかかる第１の録画チャンネルの自動割当て動作を説明するためのフローチャート（つづき）
【図５３Ｄ】他の実施形態にかかる第２の録画チャンネルの自動割当て動作を説明するためのフローチャート（つづき）
【図５４】タイムシフト録画用のチャンネルを設定するための設定画面（第２の例）を示す図
【図５４Ｂ】他の実施形態にかかるＢＤレコーダの電気的構成を示すブロック図
【図５５】他の実施形態にかかるタイムシフト録画の予約画面の模式図
【発明を実施するための形態】
【００３７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００３８】
以下、本発明をＢＤレコーダに適用した実施の形態について図面を用いて説明する。
【００３９】
Ｉ．目次
１．実施の形態１
１−１．概要
１−２．外観構成
１−３．電気的構成
１−４．動作
１−４−１．初期設定動作（お買い上げ設定動作）
１−４−２．タイムシフト録画予約動作
１−４−２−１．事前処理動作
１−４−２−２．録画予約動作
１−４−３．視聴時におけるＢ−ＣＡＳカード切替動作
１−４−４．通電制御動作
１−４−５．有料放送に関する警告画面表示動作
１−４−６．共用Ｂ−ＣＡＳカードの契約状況確認動作、及び契約状況表示動作
１−４−７．放送メールの受信動作、及び放送メールの一覧表示動作
１−４−８．共用Ｂ−ＣＡＳカードの変化を検出した場合の動作
１−４−９．ＮＨＫ（日本放送協会）自動表示メッセージの表示動作
１−４−１０．録画予約状況の一覧画面の表示動作
１−４−１１．有料放送契約の案内画面の表示動作
２．実施の形態２
２−１．外観構成、及び電気的構成
２−２．初期設定動作（お買い上げ設定動作）
３．実施の形態３
３−１．通電制御動作
４．他の実施形態
【００４０】
１．実施の形態１
以下、本開示の思想をＢＤレコーダに適用した実施の形態１について図面を用いて説明する。
【００４１】
１−１．概要
ＢＤレコーダの概要について図１を用いて説明する。図１は、ＢＤレコーダ１００の外観斜視図である。ＢＤレコーダ１００は、放送番組を録画できる。ＢＤレコーダ１００は、１２個のチューナを有する。ＢＤレコーダ１００は、１２個のチューナのうち、９個のチューナをタイムシフト録画に用い、３個のチューナを通常の録画、若しくは視聴に用いる。
【００４２】
ここで、「タイムシフト録画」とは、使用者により選択されたチャンネルにおいて放送される番組をチューナを介して常時受信し、受信した番組に基づいて生成した番組データを常時内部のハードディスクに記録する録画方式である。タイムシフト録画をする場合、ＢＤレコーダ１００は、使用者により選択されたチャンネルにおいて放送される番組に関して、常時一定期間分（例えば１週間分）の番組データをハードディスクに記憶しておく。一定期間分の容量を超える場合、ＢＤレコーダ１００は、同一チャンネルの古い番組データから消去する。
【００４３】
一方、「通常の録画」とは、使用者により選択された番組をチューナを介して受信し、受信した番組に基づいて生成した番組データを内部のハードディスクに記録する録画方式である。通常の録画としては、予約録画と現在放送されている番組の録画とがある。予約録画とは、将来放送される番組の録画の予約を使用者が事前に行い、予約されている日時になると、ＢＤレコーダ１００が自動的に予約されている番組を受信し、受信した番組に基づいて生成した番組データを自動的にハードディスクに記録する録画方式である。
【００４４】
また、チューナが放送を受信して生成する番組データは、デスクランブル処理前の番組データである。デスクランブル処理前の番組データは暗号化された状態である。使用者は、デスクランブル処理前の番組データを視認しても番組コンテンツを認識できない。従って、ＢＤレコーダ１００は、デスクランブル処理前の番組データに対して、デスクランブル処理を施す必要がある。デスクランブル処理には、Ｂ−ＣＡＳカードが必要である。１枚のＢ−ＣＡＳカードによって同時にデスクランブル処理できる番組データ数は有限である。本実施形態では、１枚のＢ−ＣＡＳカードにより３チャンネル分の番組データに対して同時にデスクランブル処理が可能であるとする。本実施形態のＢＤレコーダ１００は、１２個のチューナからの１２チャンネル分の番組データを処理するため、４枚のＢ−ＣＡＳカードを用いる。
【００４５】
ところで、放送番組には、使用者が個別に放送事業者と契約することで視聴が可能となる有料番組がある。この有料番組を視聴するための放送事業者との契約は、Ｂ−ＣＡＳカード毎に締結する必要がある。つまり、４枚のＢ−ＣＡＳカードを用いるような装置において、全てのチューナで有料放送を視聴したい場合には、最大４枚分の有料放送契約を放送事業者と締結する必要がある。一方、一部のチューナでのみ有料放送を視聴できればよいと考える場合には、一部のＢ−ＣＡＳカードについてのみ有料放送契約を放送事業者と締結すればよい。
【００４６】
使用者が一部のＢ−ＣＡＳカードについてのみ有料放送契約を締結した場合には、有料放送契約を締結しているＢ−ＣＡＳカードと有料放送契約を締結していないＢ−ＣＡＳカードとが装置において混在することとなる。このような場合に、どのＢ−ＣＡＳカードについて有料放送契約を締結しており、どのＢ−ＣＡＳカードについて有料放送契約を締結していないかについて使用者が混同する恐れがある。有料放送契約を締結していないＢ−ＣＡＳカードに対応しているチューナに対して有料放送のタイムシフト録画の設定や予約録画の設定をしてしまった場合、使用者が録画したいと考えていた番組が録画されないような事態が生じ得る。
【００４７】
また、Ｂ−ＣＡＳカードには、有料放送の無料視聴期間が設定されている。上述した通り、ＢＤレコーダ１００には、４枚のＢ−ＣＡＳカードが同梱されることとなる。使用者が１枚目のＢ−ＣＡＳカードを使用し、有料放送の無料視聴期間内に有料放送を楽しみ、１枚目のＢ−ＣＡＳカードの無料視聴期間が満了したとする。次いで、使用者が２枚目のＢ−ＣＡＳカードを使用し、有料放送の無料視聴期間内に有料放送を楽しんだとする。この場合には、Ｂ−ＣＡＳカードに対する有料放送の無料視聴期間が、放送事業者の意図に反して、実質的に延長されることとなる。このような事態は有料放送の放送事業者にとって好ましくない。
【００４８】
このように、有料放送契約を締結可能なＢ−ＣＡＳカードを複数枚使用する信号処理装置においては様々な問題が生じうる。
【００４９】
ＢＤレコーダ１００は、有料放送契約を締結可能なＢ−ＣＡＳカードを複数枚使用可能な信号処理装置において生じ得る問題の少なくとも一部を解決するために構成上の工夫を取り入れている。この構成上の工夫について以下詳細に説明する。
【００５０】
１−２．外観構成
ＢＤレコーダ１００の外観構成に関して図１、図２を用いて説明する。図２は、ＢＤレコーダ１００の背面を示す外観模式図である。図１に示すように、ＢＤレコーダ１００は、正面側にＢＤドライブ１１０、及びＢ−ＣＡＳカードスロット１２０を有する。また、図２に示すように、ＢＤレコーダ１００は、背面側にＢ−ＣＡＳカードスロット１３０、Ｂ−ＣＡＳカードスロット１４０、Ｂ−ＣＡＳカードスロット１５０、及び地デジアンテナ取付部１２１〜ＢＳ／ＣＳアンテナ取付部１５２を有する。
【００５１】
ここで、Ｂ−ＣＡＳカードスロット１２０、Ｂ−ＣＡＳカードスロット１３０、Ｂ−ＣＡＳカードスロット１４０、及びＢ−ＣＡＳカードスロット１５０のそれぞれに対応するＢ−ＣＡＳカードについて説明する。
【００５２】
ＢＤレコーダ１００の前面に設けられたＢ−ＣＡＳカードスロット１２０は、ＢＳ、ＣＳ、地上デジタル放送に対応したＢ−ＣＡＳカードである共用Ｂ−ＣＡＳカード（赤色）に対応している。また、Ｂ−ＣＡＳカードスロット１２０に挿入される共用Ｂ−ＣＡＳカードは、通常録画若しくは視聴に用いられる。また、受信したデータ放送において、表示されるＢ−ＣＡＳカードのカードＩＤは、原則としてＢ−ＣＡＳカードスロット１２０に挿入されている共用Ｂ−ＣＡＳカードを用いることで行われる。この共用Ｂ−ＣＡＳカードの別称を「代表カード」という。このように構成する理由を説明する。
【００５３】
仮に、データ放送において、何れのＢ−ＣＡＳカードのカードＩＤが表示されるかが特定されていないとする。また、データ放送において、使用者にゲームを楽しませるような放送がある。このゲームを始めるにあたって、使用者がＢ−ＣＡＳカードのカードＩＤを機器に入力する必要がある場合がある。このようなゲームのデータ放送においては、ゲームのポイントがカードＩＤに紐づいて加算される。このような場合に、使用者がＢ−ＣＡＳカードのカードＩＤを入力する画面に毎回異なるＢ−ＣＡＳカードのカードＩＤが表示されると、使用者がゲームを始める際に毎回異なるＢ−ＣＡＳカードのカードＩＤを入力してしまう恐れがある。このような事態が生じると、使用者は毎回同じゲームをしているにも関わらず、ゲームのポイントが複数のカードＩＤに分散して加算されてしまう。そこで、本実施形態のＢＤレコーダ１００では、データ放送において表示するカードＩＤを代表カードのカードＩＤとすることで、このような事態を回避している。
【００５４】
ＢＤレコーダ１００の背面に設けられたＢ−ＣＡＳカードスロット１３０は、ＢＳ、ＣＳ、地上デジタル放送に対応しているＢ−ＣＡＳカードであるが、共用Ｂ−ＣＡＳカードよりもサイズが小さいｍｉｎｉ共用Ｂ−ＣＡＳカード（赤色）に対応している。このため、Ｂ−ＣＡＳカードスロット１３０は、Ｂ−ＣＡＳカードスロット１２０よりもサイズが小さい。また、ＢＤレコーダ１００の背面に設けられた他のＢ−ＣＡＳカードスロット１４０及び１５０は、地上デジタル放送にのみ対応したＢ−ＣＡＳカードであり、共用Ｂ−ＣＡＳカードよりもサイズが小さいｍｉｎｉ地デジ専用Ｂ−ＣＡＳカード（青色）に対応している。Ｂ−ＣＡＳカードスロット１３０〜１５０は、タイムシフト録画に用いられる。また、Ｂ−ＣＡＳカードスロット１３０〜１５０は、取り扱うカードのサイズが小さいことから、Ｂ−ＣＡＳカードスロット１２０よりも小さいサイズで構成される。
【００５５】
このように、本実施の形態にかかるＢＤレコーダ１００は、機器の正面側に通常録画若しくは視聴用のＢ−ＣＡＳカードのスロットを配置し、背面側にタイムシフト録画用のＢ−ＣＡＳカードのスロットを配置している。従って、通常録画若しくは視聴用のＢ−ＣＡＳカードに対して有料放送契約を締結しているような場合に、機器の正面側のスロットに挿入されているＢ−ＣＡＳカードが有料放送契約を締結しているＢ−ＣＡＳカードであることを使用者に簡単に認識させられる。
【００５６】
また、タイムシフト録画用のＢ−ＣＡＳカードが有料放送契約を締結しているような場合においても、ＢＤレコーダ１００は、タイムシフト録画用のＢ−ＣＡＳカードのうち、ｍｉｎｉ共用Ｂ−ＣＡＳカード（赤色）は一枚だけであるので（他の２枚のＢ−ＣＡＳカードは、ｍｉｎｉ地デジ専用Ｂ−ＣＡＳカード（青色））、機器の背面側のスロットに挿入されているＢ−ＣＡＳカードのうち何れのＢ−ＣＡＳカードが有料放送契約を締結しているかを使用者に簡単に認識させられる。
【００５７】
また、ＢＤレコーダ１００は、機器の正面側に挿入されるＢ−ＣＡＳカードと機器の背面側に挿入されるＢ−ＣＡＳカードとのサイズを異ならせている。これにより、未だＢ−ＣＡＳカードがＢＤレコーダ１００に挿入されていない状態で、通常録画若しくは視聴用のＢ−ＣＡＳカードに対して有料放送契約を締結したと使用者が認識しているような場合、使用者は、Ｂ−ＣＡＳカードの大きさを見るだけで、大きい方の共用Ｂ−ＣＡＳカードが有料放送契約を締結したＢ−ＣＡＳカードであると認識できる。一方、未だＢ−ＣＡＳカードがＢＤレコーダ１００に挿入されていない状態で、タイムシフト録画用のＢ−ＣＡＳカードに対して有料放送契約を締結したと使用者が認識しているような場合、使用者は、Ｂ−ＣＡＳカードの大きさを見るだけで、小さい方の共用Ｂ−ＣＡＳカードが有料放送契約を締結したＢ−ＣＡＳカードであると認識できる。
【００５８】
１−３．電気的構成
ＢＤレコーダ１００の電気的構成について図３を用いて説明する。図３は、ＢＤレコーダ１００の電気的構成を示すブロック図である。ＢＤレコーダ１００は、通常録画、若しくは視聴用に用いられるブロックと、タイムシフト録画用に用いられるブロックとから構成される。まず、通常録画若しくは視聴用に用いられるブロックについて説明する。
【００５９】
１−３−１  通常録画／視聴用ブロックの構成
通常の録画若しくは視聴に用いられるブロックには、チューナ１２３〜１２５が含まれる。チューナ１２３、チューナ１２４、及びチューナ１２５は、地上波デジタル放送用アンテナ、若しくはＢＳ／ＣＳ放送用アンテナを介して受信した電波のうち、使用者が選局しているチャンネルの電波を抽出する。チューナ１２３、チューナ１２４、及びチューナ１２５は、抽出した電波に基づいて、デスクランブル処理前の番組データを生成する。また、チューナ１２３、チューナ１２４、及びチューナ１２５は、データ放送を受信し、受信したデータ放送に基づいて、データ放送画面を生成する。
【００６０】
デスクランブラ１２６は、Ｂ−ＣＡＳカードスロット１２０に挿入されている共用Ｂ−ＣＡＳカードを用いて、デスクランブル処理前の番組データに対してデスクランブル処理を施す。
【００６１】
ＬＳＩ１７０は、通常録画、若しくは視聴用に用いられるブロックを制御する制御部である。ＬＳＩ１７０は、デスクランブラ１２６によりデスクランブル処理を施された番組データに対して、エンコード処理、デコード処理等の画像処理を施す。ＬＳＩ１７０は、エンコード処理済みの番組データをＨＤＤ１６０に記録したり、ＨＤＤ１６０、ＢＤドライブ１１０、若しくはＨＤＤ１８０に記憶されているエンコード済みの番組データに対してデコード処理を施し、ＨＤＭＩ２２０にデコード済みの番組データを出力したりする。
【００６２】
ＨＤＤ１６０は、動画像データ等を記憶する記憶装置である。また、ＢＤドライブ１１０は、ＢＤにデータを記録したり、ＢＤに記憶されているデータを読み出したりするドライブである。
【００６３】
以上が通常録画若しくは視聴用に用いられるブロックである。次に、タイムシフト録画に用いられるブロックについて説明する。
【００６４】
１−３−２  タイムシフト録画用ブロックの構成
タイムシフト録画に用いられるブロックには、チューナ１３３〜１３５が含まれる。チューナ１３３、チューナ１３４、及びチューナ１３５は、地上波デジタル放送用アンテナ、若しくはＢＳ／ＣＳ放送用アンテナを介して受信した電波のうち、使用者が選局しているチャンネルの電波を抽出する。チューナ１３３、チューナ１３４、及びチューナ１３５は、抽出した電波に基づいて、デスクランブル処理前の番組データを生成する。
【００６５】
デスクランブラ１３６は、Ｂ−ＣＡＳカードスロット１３０に挿入されているｍｉｎｉ共用Ｂ−ＣＡＳカードを用いて、デスクランブル処理前の番組データに対してデスクランブル処理を施す。
【００６６】
ＬＳＩ１９０は、タイムシフト録画用に用いられるブロックのうちチューナ１３３、チューナ１３４、チューナ１３５を介して生成された番組データを処理するブロックを制御する制御部である。ＬＳＩ１９０は、使用者にタイムシフト録画指示されているチャンネルの番組に基づいて生成された番組データを連続的にＨＤＤ１８０に記録する。ＬＳＩ１９０は、ＨＤＤ１８０に記憶されている特定のチャンネルの番組の長さが所定期間以上になる場合には、同じチャンネルの古い番組の番組データをＨＤＤ１８０から消去する。ＬＳＩ１９０は、ＨＤＤ１８０に記憶されている特定のチャンネルの番組データの長さが所定期間以上とならないように監視する。
【００６７】
タイムシフト録画に用いられるブロックにはさらにチューナ１４３〜１５５が含まれる。チューナ１４３、チューナ１４４、チューナ１４５、チューナ１５３、チューナ１５４、及びチューナ１５５は、抽出した電波に基づいて、デスクランブル処理前の番組データを生成する。
【００６８】
デスクランブラ１４６、及びデスクランブラ１５６は、Ｂ−ＣＡＳカードスロット１４０、及びＢ−ＣＡＳカードスロット１５０に挿入されているｍｉｎｉ地デジ専用Ｂ−ＣＡＳカードを用いて、デスクランブル処理前の番組データに対してデスクランブル処理を施す。
【００６９】
ＬＳＩ２００、及びＬＳＩ２１０は、タイムシフト録画用に用いられるブロックのうち、チューナ１４３、チューナ１４４、チューナ１４５、チューナ１５３、チューナ１５４、及びチューナ１５５を介して生成された番組データを処理するブロックを制御する制御部である。ＬＳＩ２００、及びＬＳＩ２１０は、ＬＳＩ１９０と同様、ＨＤＤ１８０に対するエンコード処理済みの番組データの記録を行う。ＬＳＩ２００、及びＬＳＩ２１０は、ＬＳＩ１９０と同様、ＨＤＤ１８０に記憶されている特定のチャンネルの番組データの長さが所定期間以上とならないように監視する。
【００７０】
ＨＤＤ１８０は、動画像データ等を記憶する記憶装置である。
【００７１】
以上がタイムシフト録画に用いられるブロックである。
【００７２】
使用者は、リモコン４００やＢＤレコーダ本体に設けられた操作ボタン等を介してＢＤレコーダ１００に対して種々の指示を行うことができる。このため、ＢＤレコーダ１００は、リモコン４００からの指示を受信するリモコン受信部２５０を備えている。リモコン受信部２５０は、受信した指示に応じた制御信号をＬＳＩ１７０に送信する。
【００７３】
本実施形態及び以後の実施形態で示すＢ−ＣＡＳカードスロット１２０、１３０は第１及び第２のＢＳカードスロットの一例である。デスクランブラ１２６及び１３６の組み合わせの構成は復号処理部の一例である。ＬＳＩ１７０及びＨＤＭＩ２２０の組み合わせの構成は出力部の一例である。リモコン受信部２５０は受信部の一例である。
【００７４】
１−４．動作
次に、ＢＤレコーダ１００の各種動作について図面を用いて説明する。
【００７５】
１−４−１．初期設定動作（お買い上げ設定動作）
ＢＤレコーダ１００の初期設定動作（お買い上げ設定動作）について図４〜図９を用いて説明する。ここで、初期設定動作（お買い上げ設定動作）とは、使用者がＢＤレコーダ１００を購入した後、最初に電源を投入した際のＢＤレコーダ１００の動作である。図４は、ＢＤレコーダ１００の初期設定動作を説明するためのフローチャートである。図５〜図９は、ＢＤレコーダ１００の初期設定時の表示画面を示す模式図である。
【００７６】
使用者により最初に電源が投入されると、ＢＤレコーダ１００は、初期設定動作（お買い上げ設定動作）を開始する（Ｓ２００）。リモコン設定やアンテナ設定等の設定を実行すると、ＢＤレコーダ１００は、図５に示すような、本体の前面に共用Ｂ−ＣＡＳカードを挿入するように使用者に促す画面の画像データを出力する（Ｓ２１０）。図５に示すような画面の画像データを出力すると、ＬＳＩ１７０は、リモコン受信部２５０を介して、リモコン４００の操作による次の画面へ進む指示を受け付けたかを判断する（Ｓ２２０）。次の画面へ進む指示を受け付けたと判断すると、ＬＳＩ１７０は、Ｂ−ＣＡＳカードスロット１２０に共用Ｂ−ＣＡＳカードが挿入されているかを判断する（Ｓ２３０）。具体的には、ＬＳＩ１７０は、Ｂ−ＣＡＳカードの接続自体を電気的な接続の有無で判断する。また、ＬＳＩ１７０は、挿入されているＢ−ＣＡＳカードが共用Ｂ−ＣＡＳカードであるか、地デジ専用Ｂ−ＣＡＳカードであるかを、Ｂ−ＣＡＳカードのカードＩＤにより判断する。Ｂ−ＣＡＳカードのカードＩＤは、共用Ｂ−ＣＡＳカードと、地デジ専用Ｂ−ＣＡＳカードとを区別できるように付与されている。
【００７７】
共用Ｂ−ＣＡＳカードが挿入されていないと判断すると、ＢＤレコーダ１００は、図６に示すような、本体の前面に共用Ｂ−ＣＡＳカードが挿入されていない旨を警告する画面の画像データを出力する（Ｓ２４０）。警告画面の画像データを出力すると、ＬＳＩ１７０は、使用者から次の画面へ進む指示を受け付けたかを判断する（Ｓ２５０）。次の画面へ進む指示を受け付けたと判断すると、ＬＳＩ１７０は、ステップＳ２３０に戻り、Ｂ−ＣＡＳカードスロット１２０に共用Ｂ−ＣＡＳカードが挿入されているかを判断する。
【００７８】
ステップＳ２３０において、共用Ｂ−ＣＡＳカードが挿入されていると判断すると、ＢＤレコーダ１００は、図７に示すような、本体の背面にｍｉｎｉ共用Ｂ−ＣＡＳカードと、ｍｉｎｉ地デジ専用Ｂ−ＣＡＳカードとを挿入するように使用者に促す画面の画像データを出力する（Ｓ２６０）。
【００７９】
図７に示すような画面の画像データを出力すると、ＬＳＩ１７０は、使用者から次の画面へ進む指示を受け付けたかを判断する（Ｓ２７０）。次の画面へ進む指示を受け付けたと判断すると、ＬＳＩ１７０は、Ｂ−ＣＡＳカードスロット１３０、Ｂ−ＣＡＳカードスロット１４０、Ｂ−ＣＡＳカードスロット１５０の全てに正しいＢ−ＣＡＳカードが挿入されているかを判断する（Ｓ２８０）。
【００８０】
何れかのＢ−ＣＡＳカードスロットに正しいＢ−ＣＡＳカードが挿入されていないと判断すると、ＢＤレコーダ１００は、図７Ｂに示すような、「本体の背面に正しいＢ−ＣＡＳカードが挿入されていない」旨を警告する画面の画像データを出力する（Ｓ２９０）。なお、この画面は、本体の背面の３つのＢ−ＣＡＳカードスロットのうち、何れのＢ−ＣＡＳカードスロットにＢ−ＣＡＳカードが挿入されていないかが分かるような画面となっている。例えば、Ｂ−ＣＡＳカードが挿入されているＢ−ＣＡＳカードスロットと、Ｂ−ＣＡＳカードが挿入されていないＢ−ＣＡＳカードスロットとで異なる色が付されていてもよいし、Ｂ−ＣＡＳカードが挿入されていないＢ−ＣＡＳカードスロットにのみカーソルが付されていてもよい。
【００８１】
ステップＳ２９０において警告画面の画像データを出力すると、ＬＳＩ１７０は、使用者から次の画面へ進む指示を受け付けたかを判断する（Ｓ３００）。次の画面へ進む指示を受け付けたと判断すると、ステップＳ２８０に進み、ＬＳＩ１７０は、Ｂ−ＣＡＳカードスロット１３０、Ｂ−ＣＡＳカードスロット１４０、Ｂ−ＣＡＳカードスロット１５０の全てに正しいＢ−ＣＡＳカードが挿入されているかを判断する。
【００８２】
ステップＳ２８０において、全てのＢ−ＣＡＳカードスロットに正しいＢ−ＣＡＳカードが挿入されていると判断すると、ＢＤレコーダ１００は、図８または図９に示すような、各Ｂ−ＣＡＳカードの状態を示す画面の画像データを出力する（Ｓ３００）。
【００８３】
なお、ＢＤレコーダ１００は、この画面の画像データを出力している際に、使用者によりリモコン４００の左右キーが押下されると、画面において状態を示すＢ−ＣＡＳカードの種類を切り換える。例えば、ＢＤレコーダ１００は、図８と図９に示すような画面が表示されるよう画像データの出力を切り換える。これらの画面においては、現在表示しているＢ−ＣＡＳカードの状態が、何れのＢ−ＣＡＳカードスロットに挿入されているＢ−ＣＡＳカードに関するものかが分かるようになっている。図８、図９においては、現在、状態が表示されているＢ−ＣＡＳカードが挿入されているＢ−ＣＡＳカードスロットに斜線が付されている。
【００８４】
このように、本実施の形態にかかるＢＤレコーダ１００は、初期設定時、本体の前面のＢ−ＣＡＳカードスロットに正しいＢ−ＣＡＳカードが挿入されて初めて、本体の背面のＢ−ＣＡＳカードスロットにＢ−ＣＡＳカードを挿入することを使用者に促す画面を出力する。これにより、ＢＤレコーダ１００は、Ｂ−ＣＡＳカードスロットに正しいＢ−ＣＡＳカードを挿入させることを、使用者に確実に実行させることができる。
【００８５】
１−４−２．タイムシフト録画予約動作
１−４−２−１．事前処理動作
ＢＤレコーダ１００におけるタイムシフト録画予約の事前処理について図１０を用いて説明する。図１０は、タイムシフト録画予約の事前処理動作を説明するためのフローチャートである。
【００８６】
タイムシフト録画予約の事前処理は、ＢＤレコーダ１００の初期設定（お買い上げ設定）時に実行される。ＢＤレコーダ１００は、初期設定（お買い上げ設定）時に、タイムシフト録画予約の設定を使用者に促す。タイムシフト録画予約の設定を使用者に促す画面を出力する前に（Ｓ４００）、ＬＳＩ１７０は、バックグランドでＢ−ＣＡＳカードスロット１３０に挿入されているｍｉｎｉ共用Ｂ−ＣＡＳカードを使用して、有料チャンネルのデスクランブル処理を実行する（Ｓ４１０）。この有料チャンネルのデスクランブル処理は、Ｂ−ＣＡＳカードスロット１３０に挿入されているｍｉｎｉ共用Ｂ−ＣＡＳカードにおける各有料チャンネルを順次切り換えることで、各有料チャンネルに対して実行する。
【００８７】
その後、ＢＤレコーダ１００は、タイムシフト録画予約の設定を使用者に促す画面において、各チューナ（チューナ１２３〜チューナ１５５）に対してデフォルトのチャンネルを設定する（Ｓ４２０）。なお、デフォルトのチャンネルとしては、地上デジタル放送のチャンネルを優先的に設定し、空いているチューナに対してＢＳデジタル、若しくはＣＳのチャンネルを設定する。
【００８８】
このように、本実施の形態にかかるＢＤレコーダ１００は、初期設定時、有料チャンネルで放送される有料番組を自動的に受信し、受信した有料番組に対するデスクランブル処理をＢ−ＣＡＳカードスロット１３０に挿入されたｍｉｎｉ共用Ｂ−ＣＡＳカードを使用して実行する。これにより、Ｂ−ＣＡＳカードスロット１３０に挿入されたｍｉｎｉ共用Ｂ−ＣＡＳカードの有料放送の無料視聴期間が自動的にスタートする。その結果、複数枚の共用Ｂ−ＣＡＳカードの無料視聴期間を順次利用することにより、無料視聴期間が実質的に延長されるという問題を解決できる。
【００８９】
１−４−２−２．タイムシフト録画予約動作
ＢＤレコーダ１００におけるタイムシフト録画予約の動作について図１１〜図１５を用いて説明する。図１１は、ＢＤレコーダ１００におけるタイムシフト録画予約動作を示すフローチャートである。図１２は、タイムシフト録画を行う対象チャンネルを設定する予約画面（設定メニュー）を示す図である。図１３、図１４は、予約画面（設定メニュー）上で選択された対象チャンネルに関する詳細設定画面を示す図である。図１５は、有料放送契約に関して使用者に問い合わせる画面を示す図である。
【００９０】
使用者から、タイムシフト録画を行う対象チャンネルを設定するための設定メニューの表示指示を受け付けると、ＢＤレコーダ１００は、図１２に示すような設定メニューの画面の画像データを、ＨＤＭＩ２２０を介してテレビ３００に対して出力する（Ｓ１００）。図１２において、チャンネル１〜チャンネル３は、それぞれチューナ１３３〜チューナ１３５が受信するチャンネルに対応している。また、チャンネル４〜チャンネル６は、チューナ１４３〜チューナ１４５が受信するチャンネルに対応している。また、チャンネル７〜チャンネル９は、チューナ１５３〜チューナ１５５が受信するチャンネルに対応している。使用者は、リモコン４００における十字キーを操作することでカーソル３１０を移動させることで、図１２に示す設定メニュー上でタイムシフト録画の設定を行うチャンネルを選択できる。
【００９１】
設定メニューを表示すると（図１１のフローチャートのＳ１００）、ＢＤレコーダ１００は、使用者から、タイムシフト録画の設定を行うチャンネルの選択を受け付けるまで待機する（Ｓ１１０）。タイムシフト録画の設定を行うチャンネルの選択（チャンネル１〜チャンネル３）を受け付けると、ＢＤレコーダ１００は、選択されたチャンネルに関する詳細設定画面（図１３や図１４に示されるような画面）を表示する（Ｓ１２０）。
【００９２】
図１３や図１４に示される詳細設定画面には、受信確認画面３２０、３３０が含まれている。受信確認画面３２０、３３０においては、デスクランブラ１３６がＢ−ＣＡＳカードスロット１３０に挿入されているＢ−ＣＡＳカードを使用してデスクランブル処理を施した画像が出力される。つまり、ＢＤレコーダ１００は、設定メニュー上でタイムシフト録画の候補として選択されたチャンネルの放送を、チューナ１３３を介して受信する。ＢＤレコーダ１００においては、デスクランブル処理前の番組データをデスクランブラ１３６がＢ−ＣＡＳカードスロット１３０に挿入されているＢ−ＣＡＳカードを使用してデスクランブル処理する。従って、タイムシフト録画の対象となるチャンネルとして有料チャンネルが選択されている場合に、Ｂ−ＣＡＳカードスロット１３０に挿入されているＢ−ＣＡＳカードが、その有料放送の契約を締結している場合には、図１３に示すように受信確認画面３２０には、デスクランブル処理済みの番組の画像が表示される。一方、Ｂ−ＣＡＳカードスロット１３０に挿入されているＢ−ＣＡＳカードがその有料放送の契約を締結していない場合、図１４に示すように受信確認画面３３０には、データ放送への案内画面が表示される。すなわち、受信確認画面３３０には、有料放送契約を使用者に促す画面３３１が表示される。
【００９３】
ステップＳ１２０において詳細設定画面を表示すると、ＢＤレコーダ１００は、使用者によりリモコン４００に設けられた青色ボタンが押下されたかを判断する（Ｓ１３０）。押下されていないと判断すると、ＢＤレコーダ１００は、決定ボタンが押下されたかを判断する（Ｓ１４０）。決定ボタンが押下されたと判断すると、ＢＤレコーダ１００は、再度図１２に示す設定メニューの画像データをテレビ３００に出力する。
【００９４】
一方、ステップＳ１３０において、青色ボタンが押下されたと判断すると、ＢＤレコーダ１００は、受信確認画面３２０、３３０の拡大画面の画像データを出力する（Ｓ１５０）。例えば、図１５に示すような拡大画面の画像データが出力される。なお、図１５は、一例として、Ｂ−ＣＡＳカードスロット１３０に挿入されているＢ−ＣＡＳカードが有料放送契約を締結していない場合の画面の表示例、すなわち受信確認画面３３０の拡大画面を示している。ここで、図１５の画面は、データ放送の案内チャンネルへの切替を誘導する案内画面（ＣＡ代替画面）を示している。さらに、図１５の画面においては、通常の視聴画面と区別して、タイムシフト録画における視聴確認画面であることを使用者に認識させるため、データ放送への案内画面に、枠３４０を付加して表示している。
【００９５】
ステップＳ１５０において受信確認画面の拡大画面を出力すると、ＢＤレコーダ１００は、使用者から有料放送契約画面の表示指示があるかを判断する（Ｓ１６０）。使用者は、図１５のような画面を表示している段階で、リモコン４００を使用することで、有料放送契約画面の表示指示（「はい」を選択）を行うことができる。
【００９６】
使用者から有料放送契約画面の表示指示がされると、ＢＤレコーダ１００は、有料放送の契約画面（データ放送）の画像データを出力する（Ｓ１７０）。具体的には、ＢＤレコーダ１００は、図１６に示すような有料放送の契約画面の画像データを出力する。ここで、図１６に示す画面は、Ｂ−ＣＡＳカードに関する有料放送の案内を使用者に提示する画面（案内画面）ということもできる。ＢＤレコーダ１００は、有料放送の契約画面において、Ｂ−ＣＡＳカードスロット１３０に挿入されているＢ−ＣＡＳカードのカードＩＤの情報を表示している。上述したように、データ放送において表示されるカードＩＤは通常代表カード（Ｂ−ＣＡＳカードスロット１２０に挿入されているＢ−ＣＡＳカード）のカードＩＤである。しかし、本例の場合、有料放送契約を締結すべきＢ−ＣＡＳカードはＢ−ＣＡＳカードスロット１２０に挿入されているＢ−ＣＡＳカード（代表カード）ではなく、Ｂ−ＣＡＳカードスロット１３０に挿入されているＢ−ＣＡＳカードである。従って、有料放送の契約のためのデータ放送の表示画面において、Ｂ−ＣＡＳカードスロット１３０に挿入されているＢ−ＣＡＳカードのカードＩＤを用いている。これにより、Ｂ−ＣＡＳカードスロット１３０に挿入されているＢ−ＣＡＳカードに対する有料放送契約を使用者に促している。
【００９７】
このように、本実施の形態にかかるＢＤレコーダ１００においては、タイムシフト録画における予約設定画面において、録画予約候補として選択されているチャンネルに関して、デスクランブラ１３６においてデスクランブル処理を施された画像を含む画面を出力することとした。これにより、仮に、Ｂ−ＣＡＳカードスロット１３０に挿入されているＢ−ＣＡＳカードが有料放送契約を締結していない場合であっても、使用者は、タイムシフト録画の対象として有料チャンネルを選択した際に、Ｂ−ＣＡＳカードスロット１３０に挿入されているＢ−ＣＡＳカードによっては有料チャンネルをデスクランブル処理できないことを知ることができる。
【００９８】
また、本実施の形態にかかるＢＤレコーダ１００においては、データ放送において表示されるカードＩＤは原則として代表カード（Ｂ−ＣＡＳカードスロット１２０に挿入されている共用Ｂ−ＣＡＳカード）のカードＩＤを用いて行うこととした。しかし、代表カード以外の別のカードに対する有料放送契約についてのデータ放送においては、その別のカードのカードＩＤを表示することとした（換言すれば、有料放送の案内を使用者に提示する案内画面（例えば、図１６）においては、その有料放送の契約を締結したいＢ−ＣＡＳカードのカードＩＤを表示するが、そのような案内画面以外の画面においては、予め定められた代表カードのカードＩＤを表示する。）。これにより、データ放送の指示に基づいて、代表カード以外のＢ−ＣＡＳカードに対する有料放送契約を使用者に促すことができる。使用者は、図１６に示すような画面を視聴しながら、有料放送の放送事業者と電話できる。これにより、使用者は、有料放送契約を締結したいＢ−ＣＡＳカードのカードＩＤを電話相手の放送事業者に容易に伝えることができる。放送事業者は、正しいＢ−ＣＡＳカードのカードＩＤを知ることで、正しいＢ−ＣＡＳカードに対して有料放送契約を締結できる。
【００９９】
なお、以上ではタイムシフト録画の設定中において、有料放送契約を行うための画面へ誘導する動作について説明したが、通常の放送視聴中において、有料放送契約を行うための画面へ誘導する動作については、後述のセクション１−４−１１にて説明する。
【０１００】
１−４−３．視聴時におけるＢ−ＣＡＳカード切替動作
ＢＤレコーダ１００におけるＢ−ＣＡＳカードの切替動作について図１７を用いて説明する。ＢＤレコーダ１００は、番組の視聴をする際、通常、前面のＢ−ＣＡＳカードスロット１２０に挿入されている共用Ｂ−ＣＡＳカードを使用する。共用Ｂ−ＣＡＳカードを使用して番組データのデスクランブル処理を実行している際（Ｓ５００）、ＬＳＩ１７０は、リモコン４００を介して、使用者からデスクランブル処理に使用するＢ−ＣＡＳカードの切替指示があるか否かを判断する（Ｓ５１０）。切替指示があったと判断すると、ＬＳＩ１７０は、Ｂ−ＣＡＳカードスロット１２０以外のＢ−ＣＡＳカードスロットに挿入されているＢ−ＣＡＳカードを使用して、番組データのデスクランブル処理を実行する。ここで、Ｂ−ＣＡＳカードスロット１２０以外のＢ−ＣＡＳカードスロットに挿入されているＢ−ＣＡＳカードを使用して、デスクランブル処理を実行した画像は、図１５に示すように、枠３４０が付与された状態で表示される。
【０１０１】
このように、本実施の形態にかかるＢＤレコーダ１００は、使用者からの指示に基づいて、Ｂ−ＣＡＳカードスロット１２０に挿入されたＢ−ＣＡＳカードによるデスクランブル処理後のデータを出力するか、Ｂ−ＣＡＳカードスロット１２０以外のカードスロットに挿入されたＢ−ＣＡＳカードによるデスクランブル処理後のデータを出力するかを切り替えることができる。すなわち、使用者からの指示に基づいて、番組データに対してデスクランブル処理を施す際に使用するＢ−ＣＡＳカードを変更できる。これにより、使用者は、各Ｂ−ＣＡＳカードによりどのチャンネルを受信できるかを確認できる。
【０１０２】
また、本実施の形態にかかるＢＤレコーダ１００は、Ｂ−ＣＡＳカードスロット１２０（通常視聴・録画用スロット）以外のＢ−ＣＡＳカードスロット（タイムシフト録画用スロット）に挿入されているＢ−ＣＡＳカードを使用してデスクランブル処理をした場合に、デスクランブル処理済みの番組に対して枠３４０を付与している（図１５参照）。これにより、使用者は、通常視聴／通常録画におけるデスクランブル処理に使用されるＢ−ＣＡＳカードではない、タイムシフト録画用のＢ−ＣＡＳカードがデスクランブル処理に使用されていることを認識できる。
【０１０３】
１−４−４．通電制御動作
ＢＤレコーダ１００の通電制御動作について説明する。まず、通電制御動作において参照される通電制御情報について説明する。通電制御情報とは、有料放送契約の更改のために必要な情報である。有料放送の契約期間が満了すると、ＢＤレコーダ１００は、有料放送のデスクランブル処理をできなくなってしまう。有料放送契約を更改すると、ＢＤレコーダ１００は、放送波を介して、有料放送をデスクランブルするための情報を取得できる。従って、ＢＤレコーダ１００は、有料放送をデスクランブルするための情報が放送される期間に起動されている必要がある。この有料放送をデスクランブルするための情報が放送される期間や、放送されるチャンネル等を示す情報が通電制御情報である。
【０１０４】
ＢＤレコーダ１００における通電制御動作について図１８、図１９を用いて説明する。図１８は、通電制御情報の取得動作を説明するためのフローチャートである。図１９は、通電制御情報に基づいて、ＥＭＭ（Entitlement Management Message）を取得する動作を説明するためのフローチャートである。ここで、ＥＭＭとは、各Ｂ−ＣＡＳカードに対する有料チャンネル契約の契約更改に関する情報を含んだ情報である。ＢＤレコーダ１００は、Ｂ−ＣＡＳカード毎のＥＭＭを取得することで、Ｂ−ＣＡＳカード毎の有料放送契約を更改できる。
【０１０５】
使用者は、放送事業者と契約することで有料放送契約を締結できる（Ｓ６００）。ここでは、Ｂ−ＣＡＳカードスロット１３０に挿入されているｍｉｎｉ共用Ｂ−ＣＡＳカードに関して、有料放送契約を締結したこととする。
【０１０６】
有料放送契約が締結されると、ＬＳＩ１９０は、チューナ１３３〜１３５のうちの何れかのチューナを介して通電制御情報を取得する（Ｓ６１０）。通電制御情報を取得すると、ＬＳＩ１９０は、取得した通電制御情報と、Ｂ−ＣＡＳカードスロット１３０に挿入されているｍｉｎｉ共用Ｂ−ＣＡＳカードのカードＩＤとを対応付けて、ＨＤＤ１８０に記録する（Ｓ６２０）。
【０１０７】
ＨＤＤ１８０に通電制御情報が記憶されていることを確認すると、ＬＳＩ１７０は、通電制御情報に基づいて、通電が必要な期間に自動的に起動するようにタイマー（図示せず）をセットする（Ｓ６３０）。
【０１０８】
ＬＳＩ１７０に通電していない状態で（図１９のＳ７００）、タイマーが自動的に起動すべき期間を示すと（Ｓ７１０）、ＬＳＩ１７０は、自動的に起動する（Ｓ７２０）。自動的に起動すると、ＬＳＩ１７０は、チューナ１２３〜１２５のうちの何れかのチューナのチャンネル設定をＨＤＤ１８０に記憶されている通電制御情報に基づいて決定し、放送を介してＢ−ＣＡＳカードスロット１３０に挿入されているｍｉｎｉ共用Ｂ−ＣＡＳカードのＥＭＭを取得する（Ｓ７３０）。
【０１０９】
ＥＭＭを取得すると、ＬＳＩ１７０は、取得したＥＭＭと、Ｂ−ＣＡＳカードスロット１３０に挿入されているｍｉｎｉ共用Ｂ−ＣＡＳカードのカードＩＤとを対応付けてＨＤＤ１８０に記録する（Ｓ７４０）。
【０１１０】
ＥＭＭをＨＤＤ１８０に記録すると、ＬＳＩ１７０は、現時刻が、タイムシフト録画用のブロックのメンテナンス期間（１日のうち１０分程度設けられている）に達したかを判断する（Ｓ７５０）。メンテナンス期間になったと判断すると、ＬＳＩ１７０は、ＨＤＤ１８０に記憶しているＥＭＭをＬＳＩ１９０に送信し、ＬＳＩ１９０にＢ−ＣＡＳカードスロット１３０に挿入されているｍｉｎｉ共用Ｂ−ＣＡＳカードの更新処理を行わせる（Ｓ７６０）。
【０１１１】
このように、本実施の形態にかかるＢＤレコーダ１００は、通常録画用のブロックにおいて、タイムシフト録画用のブロックにおける共用Ｂ−ＣＡＳカードのＥＭＭを取得することとした。このように構成している理由について説明する。
【０１１２】
タイムシフト録画用のブロックは、原則、使用者に選択されたチャンネルの放送を１日中受信し、受信した番組に基づいて生成した番組データをＨＤＤ１８０に記録し続けている。従って、タイムシフト録画用のブロックにおいては、通電制御情報に示されている期間に、ＥＭＭが放送されるチャンネルの放送を受信できない場合も生じ得る。そこで、本実施の形態にかかるＢＤレコーダ１００は、通常録画用のブロックにおいて、タイムシフト録画用のブロックにおける共用Ｂ−ＣＡＳカードのＥＭＭを取得することとした。
【０１１３】
また、本実施の形態にかかるＢＤレコーダ１００において、ＬＳＩ１７０は、タイムシフト録画用のブロックにおける共用Ｂ−ＣＡＳカードのカードＩＤと通電制御情報とを対応付けてＨＤＤ１８０に記録することとした。これにより、仮にタイムシフト録画用のブロックにおける共用Ｂ−ＣＡＳカードが複数枚あるような場合にも、ＬＳＩ１７０は、ＨＤＤ１８０に記憶されている通電制御情報が何れの共用Ｂ−ＣＡＳカードの通電制御情報であるかを判断できる。
【０１１４】
また、本実施の形態にかかるＢＤレコーダ１００において、ＬＳＩ１７０は、タイムシフト録画用のブロックにおける共用Ｂ−ＣＡＳカードのカードＩＤとＥＭＭとを対応付けてＨＤＤ１８０に記録することとした。これにより、仮にタイムシフト録画用のブロックにおける共用Ｂ−ＣＡＳカードが複数枚あるような場合にも、ＬＳＩ１７０は、ＨＤＤ１８０に記憶されているＥＭＭが何れの共用Ｂ−ＣＡＳカードのＥＭＭであるかを判断できる。
【０１１５】
１−４−５．有料放送契約に関する警告画面表示動作
ＢＤレコーダ１００における有料放送契約に関する警告画面表示動作について図２０、図２１を用いて説明する。図２０は、有料放送契約に関する警告画面表示動作を説明するためのフローチャートである。図２１は、警告画面の表示例を示す図である。
【０１１６】
ＢＤレコーダ１００の電源がＯＮされている状態で（Ｓ８００）、ＬＳＩ１７０は、Ｂ−ＣＡＳカードスロット１３０に挿入されているｍｉｎｉ共用Ｂ−ＣＡＳカードについて有料放送契約が締結されているか否かを判断する（Ｓ８１０）。具体的には、ＬＳＩ１７０は、Ｂ−ＣＡＳカードスロット１３０に挿入されているｍｉｎｉ共用Ｂ−ＣＡＳカードのカードＩＤと対応付けられた通電制御情報がＨＤＤ１８０に記憶されているか否かで判断する。
【０１１７】
有料放送契約が締結されていると判断すると、ＬＳＩ１７０は、前面のＢ−ＣＡＳカードスロット１２０に挿入されている共用Ｂ−ＣＡＳカードについても有料放送契約が締結されているか否かを判断する（Ｓ８２０）。有料放送契約が締結されていないと判断すると、ＬＳＩ１７０は、図２１に示すような警告画面のデータを出力するようＨＤＭＩ２２０を制御する（Ｓ８４０）。図２１に示す警告画面は、Ｂ−ＣＡＳカードスロット１３０に挿入されているｍｉｎｉ共用Ｂ−ＣＡＳカードが有料放送契約を締結している場合に、Ｂ−ＣＡＳカードスロット１２０に挿入されている共用Ｂ−ＣＡＳカードについても有料放送契約を締結するように使用者に促す画面である。一方、有料放送契約が締結されていると判断すると、ＬＳＩ１７０は、特に警告画面のデータをＨＤＭＩ２２０を介してテレビ３００に出力しない（Ｓ８３０）。
【０１１８】
このように、本実施の形態のＢＤレコーダ１００は、Ｂ−ＣＡＳカードスロット１３０に挿入されているｍｉｎｉ共用Ｂ−ＣＡＳカードが有料放送の契約を締結している場合に、Ｂ−ＣＡＳカードスロット１２０に挿入されている別の共用Ｂ−ＣＡＳカードについても有料放送の契約を締結するように使用者に促す画面を出力することとした。このように構成している理由について次に説明する。
【０１１９】
有料放送契約の中には、複数チャンネル（例えば９チャンネル）を同時に契約するようなパック契約というものがある。ここで、使用者がＢ−ＣＡＳカードスロット１３０に挿入されているｍｉｎｉ共用Ｂ−ＣＡＳカードに対してパック契約を締結していたとする。このような場合に、使用者がチューナ１３３〜チューナ１３５を介して受信するチャンネルに対してタイムシフト録画予約を行った場合、使用者は、３チャンネル分だけタイムシフト録画をすることができることとなる。一方、チューナ１２３〜チューナ１２５に関しては使用していないとする。この場合に、使用者は、チューナ１２３〜チューナ１２５を使用して、タイムシフト録画していない有料放送を視聴したいと考える場合がある。しかしながら、Ｂ−ＣＡＳカードスロット１２０に挿入されている共用Ｂ−ＣＡＳカードに対して有料放送の契約を締結していなかった場合、使用者は、チューナ１２３〜チューナ１２５を使用して有料放送を視聴できないこととなる。このような事態は、有料放送契約をＢ−ＣＡＳカードごとに締結しなくてはならないことを認識していない使用者が存在する場合に生じ得る。
【０１２０】
そこで、本実施の形態のＢＤレコーダ１００は、Ｂ−ＣＡＳカードスロット１３０に挿入されているｍｉｎｉ共用Ｂ−ＣＡＳカードが有料放送の契約を締結している場合に、Ｂ−ＣＡＳカードスロット１２０に挿入されている共用Ｂ−ＣＡＳカードについても有料放送の契約を締結するように使用者に促す画面を出力するように構成される。この構成により、使用者は、チューナ１２３〜チューナ１２５を使用して有料放送を視聴するために、Ｂ−ＣＡＳカードスロット１２０に挿入されている共用Ｂ−ＣＡＳカードに関しても有料放送の契約を締結する必要があることを認識でき、必要な対応をとることができる。
【０１２１】
１−４−６．共用Ｂ−ＣＡＳカードの受信状況確認動作、及び受信状況表示動作
ＢＤレコーダ１００は、Ｂ−ＣＡＳカードスロット１２０に挿入される共用Ｂ−ＣＡＳカードと、Ｂ−ＣＡＳカードスロット１３０に挿入されるｍｉｎｉ共用Ｂ−ＣＡＳカードとの２つの共用Ｂ−ＣＡＳカードを使用する。２つの共用Ｂ−ＣＡＳカードが存在するために、何れか一方の共用Ｂ−ＣＡＳカードに対してのみ有料放送契約を締結した場合に、使用者は、何れの共用Ｂ−ＣＡＳカードに対して有料放送契約を締結したか混乱してしまう場合がある。
【０１２２】
そこで、本実施形態のＢＤレコーダ１００は、Ｂ−ＣＡＳカードスロット１２０に挿入される共用Ｂ−ＣＡＳカード、及びＢ−ＣＡＳカードスロット１３０に挿入されるｍｉｎｉ共用Ｂ−ＣＡＳカードのそれぞれによる放送の受信状況を確認し、確認した受信結果を使用者に示すこととした。以下、ＢＤレコーダ１００における共用Ｂ−ＣＡＳカードの受信状況確認動作、及び受信状況表示動作について図２２〜図２５を用いて説明する。
【０１２３】
図２２は、共用Ｂ−ＣＡＳカードの受信状況確認動作を示すフローチャートである。図２３は、受信状況の確認結果のログファイルを説明するための模式図である。
【０１２４】
ＢＤレコーダ１００のうちタイムシフト録画用のブロックがタイムシフト録画動作等を実行している際に（Ｓ９００）、ＬＳＩ１７０は、現在の時刻がタイムシフト録画用のブロックのメンテナンス期間になったか否かを判断する（Ｓ９１０）。なお、メンテナンス期間に関する情報は、ＨＤＤ１８０に記憶されている。ＬＳＩ１７０は、タイマーと、ＨＤＤ１８０に記憶されているメンテナンス期間に関する情報を参照することで、メンテナンス期間になったか否かを判断できる。メンテナンス期間になったと判断すると、ＬＳＩ１７０は、ＬＳＩ１９０に対してタイムシフト録画の停止を指示し、Ｂ−ＣＡＳカードスロット１２０に挿入されている共用Ｂ−ＣＡＳカード、及びＢ−ＣＡＳカードスロット１３０に挿入されているｍｉｎｉ共用Ｂ−ＣＡＳカードによる各チャンネルの受信確認動作を順次実行する（Ｓ９２０）。
【０１２５】
具体的には、ＬＳＩ１７０は、Ｂ−ＣＡＳカードスロット１２０に挿入されている共用Ｂ−ＣＡＳカード、及びＢ−ＣＡＳカードスロット１３０に挿入されているｍｉｎｉ共用Ｂ−ＣＡＳカードを用いて、デスクランブラ１２６、１３６が各チャンネルの放送番組をデスクランブル処理できるか否かを判断する。ＬＳＩ１７０は、デスクランブル処理後の番組データのデコード処理に成功した場合、デスクランブラ１２６、１３６によるデスクランブル処理が成功していたと判断し、一方、デスクランブル処理後の番組データのデコード処理に失敗した場合、デスクランブラ１２６、１３６によるデスクランブル処理が失敗していたと判断する。ＬＳＩ１７０は、デスクランブラ１２６、１３６によるデスクランブル処理が成功した場合に、そのチャンネルの受信が可能であると判断し、一方、デスクランブル処理が失敗した場合に、そのチャンネルの受信が不可能であると判断する。ＬＳＩ１７０は、共用Ｂ−ＣＡＳカードの各々に対して、何れのチャンネルを受信できて、何れのチャンネルを受信できないかを判断する。
【０１２６】
各共用Ｂ−ＣＡＳカードにおいて全チャンネルの受信確認が完了すると、ＬＳＩ１７０は、ＨＤＤ１８０に記憶されている受信確認結果のログファイルを更新する（Ｓ９３０）。なお、受信確認結果のログファイルは、各チャンネルの受信確認を初めて行った際に生成され、ＨＤＤ１８０に記録されている。また、この受信確認結果のログファイルは、各共用Ｂ−ＣＡＳカード毎に、何れの共用Ｂ−ＣＡＳカードの受信確認結果のログファイルであるか識別できるように、ＨＤＤ１８０に記憶されている。すなわち、ＢＤレコーダ１００において、Ｂ−ＣＡＳカードスロット１２０に挿入されている共用Ｂ−ＣＡＳカードの受信確認結果のログファイルと、Ｂ−ＣＡＳカードスロット１３０に挿入されているｍｉｎｉ共用Ｂ−ＣＡＳカードの受信確認結果のログファイルとが、夫々の共用Ｂ−ＣＡＳカードのカードＩＤと対応付けられてＨＤＤ１８０に記憶される。
【０１２７】
図２３に、受信確認結果のログファイルの構成の一例を示す。同図に示すように、受信確認結果のログファイルは、受信確認動作が行われた日付、時間、及び確認結果を示すコードを含む。ここで、受信確認結果を示すコードは、受信確認を行うチャンネル数と同一のビット数で構成される。受信確認結果を示すコードの各ビットは、夫々所定のチャンネルに対応付けられている。本実施の形態においては、受信確認を１０個のチャンネル（ＢＳ放送及びＣＳ放送）に対して行うこととしている。従って、受信確認結果を示すコードは１０桁のビット列で構成される。ここで、各ビットの「１」は、受信が成功したことを示し、「０」は、受信が失敗したことを示す。図２３の例では、２０１２年１０月１７日から２０１２年１０月２４日の間に、受信確認結果を示すコードのうち、左から３桁目に対応付けられているチャンネルが、受信不能から受信可能に変化したことが示されている。
【０１２８】
次に、ＢＤレコーダ１００における共用Ｂ−ＣＡＳカードの受信状況表示動作について説明する。図２４は、共用Ｂ−ＣＡＳカードの受信状況表示動作を示すフローチャートである。図２５は、受信状況を示す画面を説明するための模式図である。
【０１２９】
ＬＳＩ１７０は、ＢＤレコーダ１００の操作を使用者から受け付けるメニュー画面を表示している際に（Ｓ１０００）、共用Ｂ−ＣＡＳカードの受信状況確認画面の表示指示を使用者からメニュー画面を介して受け付けたかを判断する（Ｓ１０１０）。
【０１３０】
共用Ｂ−ＣＡＳカードの受信状況確認画面の表示指示を使用者から受け付けたと判断すると、ＬＳＩ１７０は、ＨＤＤ１８０に記憶されている共用Ｂ−ＣＡＳカードの受信確認結果（ログファイル）に基づいて、共用Ｂ−ＣＡＳカードの受信状況を示す受信状況確認画面のデータを生成し、生成した画面のデータを、ＨＤＭＩ２２０を介してテレビ３００に出力する（Ｓ１０２０）。具体的には、ＬＳＩ１７０は、図２５に示すような、受信状況確認画面のデータを、ＨＤＭＩ２２０を介してテレビ３００に出力する。図２５に示す受信状況確認画面の詳細については後述する。なお、本実施の形態においては、共用Ｂ−ＣＡＳカードの受信状況確認画面の表示指示を、メニュー画面を介して使用者から受け付けると、最初に、Ｂ−ＣＡＳカードスロット１２０に挿入されている共用Ｂ−ＣＡＳカードの受信状況確認画面のデータを出力することとしている。なお、図２５では、一例として、Ｂ−ＣＡＳカードスロット１３０に挿入されているｍｉｎｉ共用Ｂ−ＣＡＳカードの受信状況確認画面を示している。
【０１３１】
Ｂ−ＣＡＳカードスロット１２０に挿入されている共用Ｂ−ＣＡＳカードの受信状況確認画面のデータを出力すると、ＬＳＩ１７０は、受信状況確認画面を表示する共用Ｂ−ＣＡＳカードの変更指示を使用者から受け付けたか否かを判断する（Ｓ１０３０）。
【０１３２】
変更指示を受け付けたと判断すると、ＬＳＩ１７０は、ＨＤＤ１８０に記憶されている、Ｂ−ＣＡＳカードスロット１３０に挿入されているｍｉｎｉ共用Ｂ−ＣＡＳカードの受信確認結果に基づいて、ｍｉｎｉ共用Ｂ−ＣＡＳカードの受信状況を示す受信状況確認画面のデータを生成し、生成した画面のデータを、ＨＤＭＩ２２０を介してテレビ３００に出力する（Ｓ１０４０）。具体的には、ＬＳＩ１７０は、図２５に示すような受信状況確認画面のデータをＨＤＭＩ２２０を介してテレビ３００に出力する。
【０１３３】
ｍｉｎｉ共用Ｂ−ＣＡＳカードの受信状況を示す画面のデータを出力すると、ＬＳＩ１７０は、受信状況確認画面を表示する共用Ｂ−ＣＡＳカードの変更指示がさらに使用者からあったか否かを判断する（Ｓ１０５０）。変更指示があったと判断すると、ＬＳＩ１７０は、再度ステップＳ１０２０に戻り、Ｂ−ＣＡＳカードスロット１２０に挿入されている共用Ｂ−ＣＡＳカードの受信状況確認画面のデータを、ＨＤＭＩ２２０を介してテレビ３００に出力する（Ｓ１０２０）。以後、同様の処理を繰り返す。
【０１３４】
次に、図２５に示す共用Ｂ−ＣＡＳカードの受信状況を示す受信状況確認画面について説明する。
【０１３５】
図２５に示すように、共用Ｂ−ＣＡＳカードの受信状況を示す受信状況確認画面は、各チャンネルのチャンネル番号、各チャンネルの放送局名、各チャンネルが有料チャンネルであるか無料チャンネルであるかを示す情報、「○」「×」で示された受信状況を示す情報を対応付けた表５００を含む。ここで、「○」は、対応するチャンネルの受信に成功していることを意味し、「×」は、対応するチャンネルの受信に失敗していることを意味している。また、表５００は、受信状況を示す情報として、「前回」「今回」という項目を有している。ここで、「前回」は、前回に共用Ｂ−ＣＡＳカードの受信確認画面を表示した際の受信状況を示す。「今回」は、現在の共用Ｂ−ＣＡＳカードの受信状況を示す。
【０１３６】
また、この画面は、現在示している受信状況が何れの共用Ｂ−ＣＡＳカードの受信状況であるかを示すアイコン５１０を含む。アイコン５１０においては、現在受信状況を表示している共用Ｂ−ＣＡＳカードが複数のＢ−ＣＡＳカードスロットのうち何れのＢ−ＣＡＳカードスロットに挿入されているＢ−ＣＡＳカードであるかを特定できるようになっている。具体的には、現在受信状況を表示している共用Ｂ−ＣＡＳカードが挿入されているＢ−ＣＡＳカードスロットに斜線ハッチング５２０を付している。
【０１３７】
このように、本実施の形態にかかるＢＤレコーダ１００は、自動的に、順次異なるチャンネルの番組データに対してデスクランブル処理を施すようデスクランブラ１２６を制御し、何れのチャンネルの番組データに対するデスクランブル処理が成功したかを示す情報をＨＤＤ１８０に記録することとした。これにより、ＢＤレコーダ１００は、各共用Ｂ−ＣＡＳカードで何れのチャンネルを受信でき、何れのチャンネルを受信できないかに関する情報を使用者に提示できる。
【０１３８】
また、本実施の形態にかかるＢＤレコーダ１００は、共用Ｂ−ＣＡＳカードに関して、各チャンネルの受信状況を示す画面を出力することとした。これにより、ＢＤレコーダ１００は、共用Ｂ−ＣＡＳカードで何れのチャンネルを受信でき、何れのチャンネルを受信できないかを使用者に認識させることができる。
【０１３９】
また、本実施の形態にかかるＢＤレコーダ１００は、受信状況確認画面に前回の受信状況と今回の受信状況とを併せて表示することとした。これにより、使用者は、共用Ｂ−ＣＡＳカードを用いた各チャンネルの受信状況の変化を、前回の受信結果と今回の受信結果とを比較して把握できる。
【０１４０】
また、本実施の形態にかかるＢＤレコーダ１００は、受信状況確認画面に現在表示している受信状況確認画面が何れのＢ−ＣＡＳカードスロットに挿入されているＢ−ＣＡＳカードであるかを特定するための情報を表示することとした。これにより、ＢＤレコーダ１００は、現在表示している受信状況が何れの共用Ｂ−ＣＡＳカードに関するものであるかを使用者に容易に理解させることができる。
【０１４１】
１−４−７．放送メールの受信動作、及び放送メールの一覧表示動作
ＢＤレコーダ１００における放送メールの受信動作、及び放送メールの一覧表示動作について図２６〜図２８を用いて説明する。図２６は、放送メールの受信動作を示すフローチャートである。図２７は、放送メールの一覧表示動作を示すフローチャートである。図２８は、放送メールの一覧表示画面を説明するための模式図である。
【０１４２】
最初に、放送メールの受信動作について図２６を用いて説明する。待機状態において（Ｓ１１００）、ＬＳＩ１７０は、チューナ１２３〜チューナ１５５を介して、放送メールを受信したか否かを判断する（Ｓ１１１０）。放送メールを受信したと判断すると、ＬＳＩ１７０は、受信した放送メールがＢ−ＣＡＳカードスロット１２０〜Ｂ−ＣＡＳカードスロット１５０に挿入されているＢ−ＣＡＳカードのうちの何れのＢ−ＣＡＳカードに対して送信されている放送メールであるかを判断する（Ｓ１１２０）。具体的には、ＬＳＩ１７０は、放送メール内に含まれているＢ−ＣＡＳカードのカードＩＤに関する情報を参照することで判断する。その判断の後、ＬＳＩ１７０は、放送メールとＢ−ＣＡＳカードのカードＩＤの情報とを対応付けて、ＨＤＤ１８０に記録する（Ｓ１１３０）。
【０１４３】
次に、放送メールの一覧表示動作について図２７を用いて説明する。ＬＳＩ１７０は、使用者から指示を受け付けるメニュー画面を表示している状態で（Ｓ１２００）、放送メールの一覧表示指示を受け付けたかを判断する（Ｓ１２１０）。放送メールの一覧表示指示を受け付けたと判断すると、ＬＳＩ１７０は、ＨＤＤ１８０に記憶されている放送メールの情報を読み出し、放送メールの一覧表示画面のデータを生成し、生成した放送メールの一覧表示画面のデータを、ＨＤＭＩ２２０を介してテレビ３００に出力する（Ｓ１２２０）。図２８に、放送メールの一覧表示画面の例を示す。この放送メールの一覧表示画面の詳細については後述する。
【０１４４】
放送メールの一覧表示画面を出力すると、ＬＳＩ１７０は、一覧表示画面上で、使用者から何れかの放送メールが選択されるまで待機する（Ｓ１２３０）。具体的には、使用者は、リモコン４００等により図２８に表示しているカーソルを動かし、放送メールを選択する。何れかの放送メールが選択されると、ＬＳＩ１７０は、選択された放送メールの内容を示すデータをＨＤＤ１８０から読み出し、ＨＤＭＩ２２０を介してテレビ３００に出力する（Ｓ１２４０）。
【０１４５】
図２８に示す放送メールの一覧画面について説明する。放送メールの一覧画面においては、各放送メールの受信日付、タイトル、Ｂ−ＣＡＳカードが挿入されているＢ−ＣＡＳカードスロットの位置を示す情報が対応付けられている。
【０１４６】
Ｂ−ＣＡＳカードが挿入されているＢ−ＣＡＳカードスロットの位置の項目には、アイコン３５０、アイコン３６０に示されている番号３７０〜番号４００の何れか、若しくは「？」マークが割り当てられる。ここで、番号３７０は、Ｂ−ＣＡＳカードスロット１２０を示し、番号３８０は、Ｂ−ＣＡＳカードスロット１３０を示し、番号３９０は、Ｂ−ＣＡＳカードスロット１４０を示し、番号４００は、Ｂ−ＣＡＳカードスロット１５０を示す。また、「？」マークは、放送メールの送信先として示されているＢ−ＣＡＳカードのカードＩＤに合致するカードＩＤを有するＢ−ＣＡＳカードが、カードスロット１２０〜１５０の何れにも挿入されていない場合を示す。
【０１４７】
このように、本実施の形態にかかるＢＤレコーダ１００は、チューナ１２３〜チューナ１５５を介して受信した放送メールが複数のＢ−ＣＡＳカードのうちの何れのＢ−ＣＡＳカードに対して送信された放送メールであるかを判断し、判断結果に基づいて、放送メールとＢ−ＣＡＳカードのカードＩＤとを対応付けてＨＤＤ１８０に記録する。これにより、ＢＤレコーダ１００は、各放送メールが何れのＢ−ＣＡＳカードに送信されたかを示す情報を使用者に対して提示できる。
【０１４８】
また、本実施の形態にかかるＢＤレコーダ１００は、ＨＤＤ１８０に記憶されている放送メールと、この放送メールが何れのＢ−ＣＡＳカードに対して送信された放送メールであるかを示す情報と、を対応付けた放送メールの一覧表示画面を出力するよう構成される。これにより、ＢＤレコーダ１００は、各放送メールが何れのＢ−ＣＡＳカードに対して送信されたものであるかを使用者に認識させることができる。
【０１４９】
また、本実施の形態にかかるＢＤレコーダ１００は、放送メールがＢ−ＣＡＳカードスロット１２０〜Ｂ−ＣＡＳカードスロット１５０のうちの何れのＢ−ＣＡＳカードスロットに挿入されているＢ−ＣＡＳカードに対して送信されたものでもない場合には、対象のＢ−ＣＡＳカードが何れのＢ−ＣＡＳカードスロットにも挿入されていないことが分かる表示（本実施の形態では「？」マーク）を表示する。これにより、ＢＤレコーダ１００は、対象のＢ−ＣＡＳカードが存在しない放送メールが何れであるかを、使用者に認識させることができる。
【０１５０】
１−４−８．共用Ｂ−ＣＡＳカードが入れ替えられた場合の動作
ＢＤレコーダ１００において、タイムシフト録画用Ｂ−ＣＡＳカードが挿入されるＢ−ＣＡＳカードスロット１３０に挿入されているｍｉｎｉ共用Ｂ−ＣＡＳカードが、別のｍｉｎｉ共用Ｂ−ＣＡＳカードに入れ替えられた場合の動作について図２９、図３０を用いて説明する。図２９は、ｍｉｎｉ共用Ｂ−ＣＡＳカードが入れ替えられた場合の動作を示すフローチャートである。図３０は、警告画面を示す模式図である。
【０１５１】
待機状態において（Ｓ１３００）、ＬＳＩ１７０は、ＬＳＩ１９０を介してＢ−ＣＡＳカードスロット１３０に挿入されているｍｉｎｉ共用Ｂ−ＣＡＳカードが別のｍｉｎｉ共用Ｂ−ＣＡＳカードに入れ替えられたか否かを判断する（Ｓ１３１０）。この判断は具体的には次にように行う。Ｂ−ＣＡＳカードスロット１３０に挿入されているｍｉｎｉ共用Ｂ−ＣＡＳカードのカードＩＤをＨＤＤ１８０に記憶しておく。例えば、Ｂ−ＣＡＳカードスロット１３０に挿入されているｍｉｎｉ共用Ｂ−ＣＡＳカードのカードＩＤを初期設定時にＨＤＤ１８０に記憶しておく。ＬＳＩ１７０は、ｍｉｎｉ共用Ｂ−ＣＡＳカードにアクセスした際に、ＨＤＤ１８０に記憶しているカードＩＤと、現在Ｂ−ＣＡＳカードスロット１３０に挿入されているｍｉｎｉ共用Ｂ−ＣＡＳカードのカードＩＤとを比較する。ＬＳＩ１７０は、双方のカードＩＤが異なる場合に、ｍｉｎｉ共用Ｂ−ＣＡＳカードが入れ替えられたと判断する。
【０１５２】
ｍｉｎｉ共用Ｂ−ＣＡＳカードが入れ替えられたと判断すると、ＬＳＩ１７０は、図３０に示すような警告画面のデータを、ＨＤＭＩ２２０を介してテレビ３００に出力する（Ｓ１３２０）。ここで、図３０に示す警告画面は、有料番組の視聴、録画が正常に行われない恐れがあることを使用者に知らせる画面である。
【０１５３】
なお、ＢＤレコーダ１００の電源がオフされている状態で、Ｂ−ＣＡＳカードスロット１３０に挿入されているｍｉｎｉ共用Ｂ−ＣＡＳカードが入れ替えられたと判断すると、ＬＳＩ１７０は、次回電源オンされた際に、図３０に示すような警告画面のデータをＨＤＭＩ２２０を介してテレビ３００に出力する。また、図３０に示す警告画面を出力している際に、使用者によりリモコン４００の決定ボタンが押下されると、ＬＳＩ１７０は、現在、Ｂ−ＣＡＳカードスロット１３０に挿入されている新たなｍｉｎｉ共用Ｂ−ＣＡＳカードのカードＩＤをＨＤＤ１８０に記憶する。これにより、ＢＤレコーダ１００は、さらなるＢ−ＣＡＳカードの入れ替えを検知するまで、警告画面を表示することがなくなる。
【０１５４】
このように、本実施の形態にかかるＢＤレコーダ１００は、タイムシフト録画用の共用Ｂ−ＣＡＳカードが別の共用Ｂ−ＣＡＳカードに入れ替えられた場合に警告画面を出力することとした。これにより、ＢＤレコーダ１００は、新たにＢ−ＣＡＳカードスロット１３０に挿入したタイムシフト録画用のｍｉｎｉ共用Ｂ−ＣＡＳカードが有料放送契約を結んでいないような場合に、有料番組を視聴、若しくは録画できない恐れがあることを使用者に通知できる。
【０１５５】
１−４−９．ＮＨＫ（日本放送協会）自動表示メッセージの表示動作
本実施の形態にかかるＢＤレコーダ１００におけるＮＨＫ（日本放送協会）の自動表示メッセージの表示動作について図３１、図３２を用いて説明する。図３１は、ＮＨＫの自動表示メッセージの表示動作を示すフローチャートである。図３２は、ＮＨＫの自動表示メッセージを説明するための模式図である。
【０１５６】
まず、ＮＨＫの自動表示メッセージについて説明する。ＮＨＫの自動表示メッセージとは、図３２に示すようなメッセージ５０１である。自動表示メッセージは、ＮＨＫに対する放送受信契約の締結を使用者に促すような内容を示している。ＢＳ／ＣＳアンテナがＮＨＫのＢＳ放送を受信した場合に、自動表示メッセージが表示されることがある。
【０１５７】
まず、視聴用のブロックに関する自動表示メッセージの表示動作について説明する。ＢＳ／ＣＳアンテナは、ＮＨＫＢＳの放送番組と自動表示メッセージとを受信し、受信したデータをチューナ１２３〜チューナ１２５に送信する。チューナ１２３〜チューナ１２５は、受信したデータに基づいて、デスクランブル処理前の番組データと、自動表示メッセージとを生成し、生成したデータをデスクランブラ１２６に送信する。デスクランブラ１２６は、Ｂ−ＣＡＳカードスロット１２０に挿入されている共用Ｂ−ＣＡＳカードを用いてデスクランブル処理前の番組データのデスクランブル処理を実行する。また、ＬＳＩ１７０は、Ｂ−ＣＡＳカードスロット１２０に挿入されている共用Ｂ−ＣＡＳカードに問い合わせることで、デスクランブル処理後の番組データに自動表示メッセージを重畳表示するか否かを判断する。そして、ＬＳＩ１７０は、デスクランブラ１２６により生成されたデスクランブル処理後の番組データと、共用Ｂ−ＣＡＳカードからの返答結果とに基づいて、自動表示メッセージを重畳した番組データ、若しくは自動表示メッセージを重畳していない番組データを生成する。以下、この動作をより詳細に説明する。
【０１５８】
ＬＳＩ１７０は、Ｂ−ＣＡＳカードスロット１２０に挿入されている共用Ｂ−ＣＡＳカードから自動表示メッセージを重畳すべきか否かを示す信号を受信する。具体的には、使用者が特に何もしない段階においては、Ｂ−ＣＡＳカードスロット１２０に挿入されている共用Ｂ−ＣＡＳカードは、自動表示メッセージを重畳すべきという意味の信号をＬＳＩ１７０に対して送信する。一方、使用者がＮＨＫに対して、電話等でＢ−ＣＡＳカードスロット１２０に挿入されている共用Ｂ−ＣＡＳカードのカードＩＤを伝えており、その結果、ＢＳ／ＣＳアンテナを介して、Ｂ−ＣＡＳカードスロット１２０に挿入されている共用Ｂ−ＣＡＳカードがＥＭＭを受信している場合には、共用Ｂ−ＣＡＳカードは、自動表示メッセージを重畳すべきでないという意味の信号をＬＳＩ１７０に対して送信する。
【０１５９】
ところで、ＮＨＫＢＳの受信契約は、家庭（世帯）単位で締結すればよく、Ｂ−ＣＡＳカード毎に締結する必要はない。しかしながら、仮に使用者がＢ−ＣＡＳカードスロット１２０に挿入されている共用Ｂ−ＣＡＳカードのカードＩＤのみをＮＨＫに対して連絡した場合、Ｂ−ＣＡＳカードスロット１２０に挿入されている共用Ｂ−ＣＡＳカードに対してはＢＳ／ＣＳアンテナを介してＥＭＭが送信されるが、Ｂ−ＣＡＳカードスロット１３０に挿入されているｍｉｎｉ共用Ｂ−ＣＡＳカードに対してはＥＭＭが送信されない。その結果、例えば、家庭としてはＮＨＫＢＳの受信契約を行っているにも関わらず、Ｂ−ＣＡＳカードスロット１３０に挿入されているｍｉｎｉ共用Ｂ−ＣＡＳカードを用いてテレビ３００に映像を出力した場合に、自動表示メッセージが表示されてしまうという事態が起こってしまう。この場合に、使用者は、ＮＨＫＢＳの契約を締結しているにも関わらず、契約が締結されていないように表示されるため、混乱してしまうおそれがある。
【０１６０】
このような状態を解消すべく、ＢＤレコーダ１００は、自動表示メッセージの表示動作を図３１に示すように制御している。
【０１６１】
使用者からＮＨＫＢＳの視聴指示があった場合（Ｓ１４００）、ＬＳＩ１７０は、その視聴指示がＢ−ＣＡＳカードスロット１２０に挿入されている共用Ｂ−ＣＡＳカード（視聴用Ｂ−ＣＡＳカード）を使用したものか、Ｂ−ＣＡＳカードスロット１３０に挿入されているｍｉｎｉ共用Ｂ−ＣＡＳカード（タイムシフト録画用Ｂ−ＣＡＳカード）を使用したものかを判断する（Ｓ１４１０）。
【０１６２】
視聴用のＢ−ＣＡＳカードを使用したものであると判断すると、ＬＳＩ１７０は、視聴用のＢ−ＣＡＳカードから得た情報（自動表示メッセージを重畳すべきか否かを示す情報）に基づいて、自動表示メッセージを番組データに重畳するか否かを判断する（Ｓ１４２０）。視聴用のＢ−ＣＡＳカードから得た情報が自動表示メッセージを重畳すべき旨を示す情報であった場合には、ＬＳＩ１７０は、番組データに自動表示メッセージを重畳したデータを出力する（Ｓ１４３０）。一方、視聴用のＢ−ＣＡＳカードから得た情報が自動表示メッセージを重畳すべきでない旨を示す情報であった場合には、ＬＳＩ１７０は、番組データに自動表示メッセージを重畳せずに番組データを出力する（Ｓ１４４０）。
【０１６３】
一方、ステップＳ１４１０において、タイムシフト用のＢ−ＣＡＳカードを使用したものであると判断すると、ＬＳＩ１７０は、タイムシフト用のＢ−ＣＡＳカードから得た情報の内容に関わらず、番組データに自動表示メッセージを重畳せずに番組データを出力する（Ｓ１４５０）。
【０１６４】
このように、本実施の形態では、ＢＤレコーダ１００は、Ｂ−ＣＡＳカードスロット１２０に挿入されている共用Ｂ−ＣＡＳカードを用いたデスクランブル処理後の番組データに対しては、視聴用のＢ−ＣＡＳカードから得た情報に応じて、番組データに自動表示メッセージを重畳し出力する。一方、Ｂ−ＣＡＳカードスロット１３０に挿入されているｍｉｎｉ共用Ｂ−ＣＡＳカードを用いたデスクランブル処理後の番組データに対しては、自動表示メッセージを重畳せず、自動表示メッセージが重畳されていない番組データを出力する。このような制御により、ＢＤレコーダ１００は、使用者が既に視聴用のＢ−ＣＡＳカードのカードＩＤをＮＨＫに連絡しているにも関わらず、自動表示メッセージを出力してしまうという可能性を低減できる。
【０１６５】
なお、上述の自動表示メッセージの表示動作は、ＮＨＫによる放送に限定されず、家庭（世帯）単位で受信契約を締結すればよい放送局からの放送に対して有効である。
【０１６６】
１−４−１０．録画予約状況の一覧画面の表示動作
ＢＤレコーダ１００における録画予約状況の一覧画面の表示動作について図３３、図３４を用いて説明する。図３３は、録画予約状況の一覧画面の表示動作を示すフローチャートである。図３４は、録画予約状況の一覧画面を説明するための模式図である。
【０１６７】
使用者からメニュー画面を介して録画予約状況の一覧画面の表示指示を受け付けると（Ｓ１５００）、ＬＳＩ１７０は、ＨＤＤ１６０に記憶されている録画予約状況の一覧情報を参照し、図３４に示すような録画予約状況の一覧画面のデータを生成し、ＨＤＭＩ２２０を介してテレビ３００に出力する（１５１０）。なお、この段階では、図３４に示す情報のうち、アンテナ受信レベル、及び視聴確認の項目以外の項目が出力される。ここで、図３４に示す録画状態とは、各チャンネルの録画の状態を示すものであり、下記の４つの状態を含む。
【表１】
2014014068.tif 000003
【０１６８】
録画予約状況の一覧画面のデータを出力すると、ＬＳＩ１７０は、タイムシフトチャンネル１（チューナ１３３により受信されるチャンネル）のアンテナ受信レベルを確認する（１５２０）。アンテナ受信レベルの確認が完了すると、ＬＳＩ１７０は、現在テレビ３００に出力している録画予約状況の一覧画面に重畳するように、確認が完了したアンテナ受信レベルを示す情報（数値）を出力する（Ｓ１５３０）。
【０１６９】
アンテナ受信レベルを示す情報を出力すると、ＬＳＩ１７０は、タイムシフトチャンネル１に設定されているチャンネルの視聴確認を行う（Ｓ１５４０）。ここで、視聴確認とは、受信した放送番組の視聴が可能か否かの確認をいう。例えば、アンテナを介して放送番組を受信できて、かつ、その放送番組に対するデスクランブル処理が成功した場合に、視聴が成功したといえる。一方、アンテナを介して放送番組を受信できるが、有料番組について未契約のため、その放送番組に対するデスクランブル処理が失敗した場合や、Ｂ−ＣＡＳカードが認識できない場合に、視聴確認が失敗したといえる。本実施形態では、視聴確認の結果として、以下の情報を表示する。
【表２】
2014014068.tif 000004
【０１７０】
視聴確認が完了すると、ＬＳＩ１７０は、現在テレビ３００に出力している録画予約状況の一覧画面に重畳するように、確認が完了した視聴確認の結果を示す情報を出力する（Ｓ１５５０）。
【０１７１】
視聴確認の結果を示す情報を出力すると、ＬＳＩ１７０は、アンテナ受信レベルの出力、視聴確認結果の出力を全てのチャンネル（タイムシフトチャンネル１〜９）で実行するまでステップＳ１５２０〜ステップＳ１５５０の処理を繰り返す（Ｓ１５６０）。なお、タイムシフトチャンネル１〜９は、チューナ１３３〜チューナ１５５に割り当てられている録画予約チャンネルに対応している。
【０１７２】
全てのチャンネルに関するアンテナ受信レベルの出力、視聴確認結果の出力が完了すると、録画予約状況の一覧画面の表示動作の完了となる（Ｓ１５７０）。
【０１７３】
このように、本実施の形態にかかるＢＤレコーダ１００は、Ｂ−ＣＡＳカード毎に、録画予約設定されているチャンネルを示す情報と、録画予約設定されているチャンネルの視聴可否に関する情報とを対応付けた画面を出力する。これにより、ＢＤレコーダ１００は、現在録画予約設定されている各番組の視聴可否の状況を一覧で使用者に知らせることができる。
【０１７４】
また、本実施の形態にかかるＢＤレコーダ１００は、複数のＢ−ＣＡＳカード毎に、録画予約設定されているチャンネルを示す情報と、録画予約設定されているチャンネルの視聴可否に関する情報と、アンテナの受信感度に関する情報とを対応付けた画面を出力する。これにより、ＢＤレコーダ１００は、視聴確認に失敗した場合に、その原因が放送番組をデスクランブルできないことが原因なのか、アンテナの受信感度が原因なのかを使用者に知らせることができる。
【０１７５】
１−４−１１．通常視聴中における有料放送契約の案内画面の表示動作
ＢＤレコーダ１００における、通常視聴中における有料放送契約の案内画面の表示動作について図３５〜図３８を用いて説明する。図３５は、通常の番組視聴時に使用者から有料放送契約の案内画面の表示の指示を受けたときの、ＢＤレコーダ１００における動作を示すフローチャートである。図３６は、ＢＤレコーダ１００におけるＣＡ代替メニューの表示例を示す模式図である。図３７は、ＢＤレコーダ１００におけるＢ−ＣＡＳカード選択画面の表示例を示す模式図である。図３８は、ＢＤレコーダ１００における有料放送契約の案内画面の表示例を示す模式図である。
【０１７６】
番組データの通常視聴の場合、Ｂ−ＣＡＳカードスロット１２０に挿入されている共用Ｂ−ＣＡＳカードを使用して、チューナ１２３〜チューナ１２５のうちの何れかで受信した番組データに対してデスクランブル処理が実施される。そのデスクランブル処理後の番組データは、ＨＤＭＩ２２０を介してテレビ３００に出力され、テレビ３００にてその番組の映像が表示される。そのような通常視聴を実施するための指示を使用者から受け付けると（Ｓ１８００）、ＬＳＩ１７０は、Ｂ−ＣＡＳカードスロット１２０に挿入されている共用Ｂ−ＣＡＳカードを使用して、対象のチャンネルに対するデスクランブル処理を行い、デスクランブル処理が成功したか否か（すなわち、対象チャンネルが視聴できるか否か）を判断する（Ｓ１８１０）。
【０１７７】
デスクランブル処理が失敗したと判断した場合（すなわち、視聴不可の場合）、ＬＳＩ１７０は、チューナ１２３〜チューナ１２５の何れかを介して受信した情報に基づいて図３６に示すような画面（以下「ＣＡ代替メニュー画面」という）のデータを生成し、ＨＤＭＩ２２０を介してテレビ３００に出力する（Ｓ１８４０）。ＣＡ代替メニュー画面は、有料放送契約のための案内チャンネルへ切り替えるか否かを使用者に問い合わせるための画面である。使用者が番組を視聴しようとしたにもかかわらず、未契約のために視聴できない場合、視聴を可能にするため契約を締結しようと考える可能性がある。そこで、このような問い合わせの画面を表示させることで、有料放送の契約締結のための使用者の便宜を図っている。
【０１７８】
ＣＡ代替メニュー画面のデータを出力すると、ＬＳＩ１７０は、使用者からの、有料放送契約の案内チャンネルへ移行する旨の指示を待つ（Ｓ１８５０）。案内チャンネルへの移行指示を受け付けると、ＬＳＩ１７０は、チューナ１２３〜チューナ１２５の何れかを介して受信した案内チャンネルのチャンネル番号に関する情報を内部メモリ（図示せず）に記録する。そして、ＬＳＩ１７０は、案内チャンネルへ移行する前に、図３７に示すような共用Ｂ−ＣＡＳカードの選択画面を表示させるために、その選択画面のデータを、ＨＤＭＩ２２０を介してテレビ３００に出力する（Ｓ１８６０）。この選択画面上で、使用者は、有料放送の契約対象のカードとして、通常の視聴・録画用のカード（前面のカードスロット１２０に挿入された共用Ｂ−ＣＡＳカード）及びタイムシフト録画用のカード（背面のカードスロット１３０に挿入された共用Ｂ−ＣＡＳカード）のいずれかを選択できる。共用Ｂ−ＣＡＳカードの選択画面の詳細については後述する。
【０１７９】
共用Ｂ−ＣＡＳカードの選択画面のデータを出力すると、ＬＳＩ１７０は、使用者から共用Ｂ−ＣＡＳカードの選択の指示を待つ（Ｓ１８７０）。共用Ｂ−ＣＡＳカードの選択を使用者から受け付けると、ＬＳＩ１７０は、図３８に示すような有料放送契約の案内チャンネルの画面の画像データを、使用者により選択された共用Ｂ−ＣＡＳカードを用いてデスクランブル処理し、ＨＤＭＩ２２０を介してテレビ３００に出力する（Ｓ１８９０）。この案内チャンネルの画面において表示される共用Ｂ−ＣＡＳカードのカードＩＤは、ステップＳ１８７０において、使用者により選択された共用Ｂ−ＣＡＳカード（Ｂ−ＣＡＳカードスロット１２０または１３０に挿入されたカード）のカードＩＤである。なお、使用者により、タイムシフト録画用の共用Ｂ−ＣＡＳカードが選択された場合に、タイムシフト録画用の共用Ｂ−ＣＡＳカードがタイムシフト録画を実行しているときは、タイムシフト録画を一旦停止してもよい。
【０１８０】
使用者は、テレビ３００に表示される図３８に示すような案内チャンネルの画面を見ながら、有料放送を提供する放送事業者のオペレータに電話を介して共用Ｂ−ＣＡＳカードのカードＩＤを伝えることができる。これにより、使用者は、カードＩＤを伝えた共用Ｂ−ＣＡＳカードに関して有料放送契約を締結できる。
【０１８１】
このように、本実施の形態のＢＤレコーダ１００は、有料放送契約の締結を使用者に案内する画面のデータを、ＨＤＭＩ２２０を介してテレビ３００に出力する前に、共用Ｂ−ＣＡＳカードを使用者に選択させる画面を、ＨＤＭＩ２２０を介してテレビ３００に出力する。このように構成する理由について次に説明する。
【０１８２】
ＢＤレコーダ１００が、有料放送契約の締結を使用者に案内する画面を出力する前に、共用Ｂ−ＣＡＳカードを使用者に選択させる画面を出力しないとすると、以下のような不都合が生じる場合がある。ＢＤレコーダ１００は、有料放送契約の締結を使用者に案内する画面において、Ｂ−ＣＡＳカードスロット１２０に挿入されている共用Ｂ−ＣＡＳカード（通常録画若しくは視聴用のＢ−ＣＡＳカード）のカードＩＤを表示することとなる。仮に使用者がタイムシフト録画用の共用Ｂ−ＣＡＳカードに関して有料放送契約を締結したいと考えていたとする。この場合に、テレビ３００に通常録画若しくは視聴用のＢ−ＣＡＳカードのカードＩＤが表示されていると、使用者が通常録画若しくは視聴用のＢ−ＣＡＳカードのカードＩＤを誤って、放送事業者のオペレータに伝えてしまう恐れがある。これは、一般に、通常録画若しくは視聴用の共用Ｂ−ＣＡＳカードとタイムシフト録画用の共用Ｂ−ＣＡＳカードとが夫々別々の共用Ｂ−ＣＡＳカードであること、及び有料放送契約に関して各共用Ｂ−ＣＡＳカードについて締結する必要があることを認識していない使用者も少なからず存在すると考えられるからである。Ｂ−ＣＡＳカードスロット１２０に挿入されている共用Ｂ−ＣＡＳカードで契約してしまうと、その契約した有料放送についてタイムシフト録画ができなくなるという不都合がある。
【０１８３】
そこで、本実施の形態にかかるＢＤレコーダ１００は、有料放送契約の締結を使用者に案内する画面を、ＨＤＭＩ２２０を介してテレビ３００に出力する前に、共用Ｂ−ＣＡＳカードを使用者に選択させる画面を、ＨＤＭＩ２２０を介してテレビ３００に出力することとした。これにより、有料放送契約の案内画面において、共用Ｂ−ＣＡＳカードのカードＩＤを出力する前に、使用者に有料放送契約を締結したい共用Ｂ−ＣＡＳカードを問い合わせることができる。その結果、使用者は、有料放送契約を締結したいと考える共用Ｂ−ＣＡＳカードをより確実に選択できる。
【０１８４】
次に、前述した図３７に示す共用Ｂ−ＣＡＳカードの選択画面の詳細について説明する。この共用Ｂ−ＣＡＳカードの選択画面は、選択対象の共用Ｂ−ＣＡＳカードを示すアイコンの他、選択されている共用Ｂ−ＣＡＳカードのカードＩＤ、契約している有料放送に関する情報、タイムシフト録画しているチャンネルに関する情報を含んでいる。なお、選択されている共用Ｂ−ＣＡＳカードが契約している有料放送に関する情報は、図２３に示すログファイルの最新データを参照することで取得してもよいし、選択されている共用Ｂ−ＣＡＳカードに対して通電制御コマンドを通知し、その応答データのうちのｃａ＿ｂｒｏａｄｃａｓｔｅｒ＿ｇｒｏｕｐ＿ＩＤ等の放送事業者を特定できる情報を参照することで取得してもよい。
【０１８５】
なお、本実施の形態にかかるＢＤレコーダ１００は、ＣＡ代替メニュー画面の出力後に共用Ｂ−ＣＡＳカードの選択画面を割り込ませることとした。しかしながら、必ずしもこのような構成には限定されない。例えば、ＣＡ代替メニューのような有料放送契約の案内チャンネルへのリンクを含んだ画面を出力しなくても、有料放送契約の案内チャンネルを使用者が直接指定したような場合にも共用Ｂ−ＣＡＳカードの選択画面を割り込ませることとしてもよい。しかしながら、この場合には、ＢＤレコーダ１００は、有料放送契約の案内チャンネルのチャンネル番号を予め記憶しておく必要がある。そして、ＢＤレコーダ１００は、予め記憶している案内チャンネルのチャンネル番号の表示指示を使用者から受け付けた場合に、共用Ｂ−ＣＡＳカードの選択画面を出力することとなる。従って、後々有料放送契約の案内チャンネルのチャンネル番号が変更されたような場合には、共用Ｂ−ＣＡＳカードの選択画面の割り込みが適切な場面でなされないこととなってしまう。
【０１８６】
また、共用Ｂ−ＣＡＳカードの選択画面の割り込みは、ＬＳＩ１７０が共用Ｂ−ＣＡＳカードに対してカードＩＤを問い合わせる際に発生させてもよいし、データ放送において共用Ｂ−ＣＡＳカードのカードＩＤを表示することを要求された際に発生させてもよい。
【０１８７】
また、本実施の形態にかかるＢＤレコーダ１００は、ステップＳ１８１０において、使用者からの通常視聴のための指示を受け付けるまで待機することとした。しかしながら、必ずしもこの構成に限られない。例えば、リモコン４００の特定のボタンが押下された際に、そのボタンに割り当てられているリンク先がＣＡ代替メニューにおいて割り当てられているリンク先（有料放送契約の案内チャンネル）と異なる場合には、そのリンク先に遷移する一方、同一である場合には、共用Ｂ−ＣＡＳカードを選択させる画面を割り込ませ、その後に有料放送契約の案内チャンネルに遷移してもよい。
【０１８８】
２．実施の形態２
以下、本発明をＢＤレコーダに適用した実施の形態２について図面を用いて説明する。ここでは、実施の形態１と異なる点についてのみ説明し、特に言及しない点については実施の形態１と同等の構成であるとする。
【０１８９】
２−１．外観構成、及び電気的構成
本実施の形態にかかるＢＤレコーダ１００は、実施の形態１と異なり、挿入される複数の共用Ｂ−ＣＡＳカードの大きさが全て同じである。その点を中心に、本実施の形態のＢＤレコーダ１００の外観構成、及び電気的構成について図３９、図４０を用いて説明する。図３９は、本実施の形態のＢＤレコーダ１００の前面及び背面を示す外観模式図である。図４０は、本実施の形態のＢＤレコーダ１００の電気的構成を示すブロック図である。
【０１９０】
図３９、図４０に示す通り、本実施の形態のＢＤレコーダ１００は、前面に、Ｂ−ＣＡＳカードスロット１２０に加えて、Ｂ−ＣＡＳカードスロット４２０、Ｂ−ＣＡＳカードスロット４３０、及びＢ−ＣＡＳカードスロット４４０を有する。Ｂ−ＣＡＳカードスロット４２０、Ｂ−ＣＡＳカードスロット４３０、及びＢ−ＣＡＳカードスロット４４０のそれぞれに対応するＢ−ＣＡＳカードについて説明する。
【０１９１】
Ｂ−ＣＡＳカードスロット４２０は、ＢＳ、ＣＳ、地上デジタル放送に対応したＢ−ＣＡＳカードである共用Ｂ−ＣＡＳカード（赤色）に対応している。この共用Ｂ−ＣＡＳカードは、ｍｉｎｉ共用Ｂ−ＣＡＳカードではなく、フルサイズの共用Ｂ−ＣＡＳカードである。Ｂ−ＣＡＳカードスロット４３０及びＢ−ＣＡＳカードスロット４４０は、地上デジタル放送にのみ対応したＢ−ＣＡＳカードである地デジ専用Ｂ−ＣＡＳカード（青色）に対応している。この地デジ専用Ｂ−ＣＡＳカードは、ｍｉｎｉ地デジ専用Ｂ−ＣＡＳカードではなく、フルサイズの地デジ専用Ｂ−ＣＡＳカードである。
【０１９２】
本実施の形態においては、Ｂ−ＣＡＳカードスロット１２０に挿入される共用Ｂ−ＣＡＳカードと、Ｂ−ＣＡＳカードスロット４２０に挿入される共用Ｂ−ＣＡＳカードのサイズが同一となる。従って、使用者が何れかの共用Ｂ−ＣＡＳカードについてのみ有料放送契約を締結したような場合に、何れの共用Ｂ−ＣＡＳカードについて有料放送契約を締結したかに関して混乱してしまうような恐れがある。そこで、本実施の形態においては、そのような恐れを解消するための工夫を施している。
【０１９３】
２−２．初期設定動作（お買い上げ設定動作）
ＢＤレコーダ１００における初期設定動作について図４１、図４２を用いて説明する。図４１、図４２は、初期設定動作（お買い上げ設定動作）時の表示画面を示す模式図である。
【０１９４】
本実施の形態においては、実施の形態１における図５の画面を表示するタイミングで、図４１に示す画面を表示する。また、実施の形態１における図７の画面を表示するタイミングで、図４２に示す画面を表示する。なお、本実施の形態にかかるＢＤレコーダ１００を含んだ商品には、ＢＤレコーダ１００に同梱される複数のＢ−ＣＡＳカードの各々を区別するためのシールが同梱されている。
【０１９５】
図４１に示す画面は、Ｂ−ＣＡＳカードスロット１２０に挿入される共用Ｂ−ＣＡＳカードに対して、各Ｂ−ＣＡＳカードを区別するためのシールを貼るように使用者に促すための画面である。図４１に示す画面は、さらに、シールが貼られた共用Ｂ−ＣＡＳカードをＢ−ＣＡＳカードスロット１２０に挿入するように使用者に促している。
【０１９６】
図４２に示す画面は、Ｂ−ＣＡＳカードスロット４２０〜Ｂ−ＣＡＳカードスロット４４０に挿入される共用Ｂ−ＣＡＳカード、及び地デジ専用Ｂ−ＣＡＳカードに対して、各Ｂ−ＣＡＳカードを区別するためのシールを貼るように使用者に促すための画面である。図４２に示す画面は、さらに、シールが貼られた共用Ｂ−ＣＡＳカード、及び地デジ専用Ｂ−ＣＡＳカードをＢ−ＣＡＳカードスロット４２０〜Ｂ−ＣＡＳカードスロット４４０に挿入するように使用者に促している。
【０１９７】
このように、ＢＤレコーダ１００は、初期設定動作時に、各シールを各Ｂ−ＣＡＳカードに貼ることを使用者に促す画面を表示する。これにより、ＢＤレコーダ１００は、複数の同一サイズ、同一色のＢ−ＣＡＳカードが複数枚存在する場合にも、各Ｂ−ＣＡＳカードを区別し易いように使用者に対応させられる。
【０１９８】
３．実施の形態３
本実施の形態にかかるＢＤレコーダ１００は、実施の形態１、実施の形態２と通電制御動作（実施の形態１における１−４−４の項目で説明済み）の点で異なる。ここでは、本実施の形態にかかるＢＤレコーダ１００における通電制御動作について説明する。
【０１９９】
３−１．通電制御動作
本実施の形態にかかるＢＤレコーダ１００の通電制御動作について図４３を用いて説明する。なお、通電制御情報の取得動作については実施の形態１と同様でよい。図４３は、通電制御情報に基づいて、ＥＭＭを取得する動作を説明するためのフローチャートである。
【０２００】
ＬＳＩ１７０に通電していない状態で（Ｓ１６００）、タイマーが自動的に起動すべき期間を示すと（Ｓ１６１０）、ＬＳＩ１７０は、自動的に起動してＥＭＭを取得する（Ｓ１６２０）。具体的には、ＬＳＩ１７０は、自動的に起動すると、チューナ１２３〜チューナ１２５のうちの何れかのチューナのチャンネル設定をＨＤＤ１８０に記憶されている通電制御情報に基づいて決定し、放送を介してＢ−ＣＡＳカードスロット１３０に挿入されているｍｉｎｉ共用Ｂ−ＣＡＳカードのＥＭＭを取得する（Ｓ１６３０）。
【０２０１】
ＬＳＩ１７０は、取得したＥＭＭと、Ｂ−ＣＡＳカードスロット１３０に挿入されているｍｉｎｉ共用Ｂ−ＣＡＳカードのカードＩＤとを対応付けてＨＤＤ１８０に記録する（Ｓ１６４０）。
【０２０２】
取得したＥＭＭをＨＤＤ１８０に記録すると、ＬＳＩ１７０は、デスクランブラ１３６が現在ＢＳ／ＣＳアンテナを介して受信したＥＣＭ（Entertainment Control Message: スクランブル処理されている放送番組をデスクランブル処理するための鍵を含む情報）を処理している最中か否かを判断する（Ｓ１６５０）。
【０２０３】
現在、デスクランブラ１３６がＥＣＭを処理している最中であると判断すると、ＥＣＭが処理されている間、ＬＳＩ１７０は待機する。一方、現在、デスクランブラ１３６がＥＣＭを処理していないと判断すると、ＬＳＩ１７０は、デスクランブラ１３６が現在ＢＳ／ＣＳアンテナを介して受信したＥＭＭを処理している最中か否かを判断する（Ｓ１６６０）。
【０２０４】
現在、デスクランブラ１３６がＥＭＭを処理している最中であると判断すると、ＬＳＩ１７０は待機する。一方、現在、デスクランブラ１３６がＥＭＭを処理していないと判断すると、ＬＳＩ１７０は、ＨＤＤ１８０に記録したＥＭＭを取得してから所定時間（本例では３０秒）以上経過しているか否かを判断する（Ｓ１６７０）。
【０２０５】
所定時間（３０秒）以上経過していると判断すると、ＬＳＩ１７０は、ＨＤＤ１８０に記録したＥＭＭを破棄し、再度、ステップＳ１６３０に戻り、再度ＥＭＭの取得を試みる（Ｓ１６３０）。
【０２０６】
一方、所定時間（３０秒経）過していないと判断すると、ＬＳＩ１７０は、ＨＤＤ１８０に記録したＥＭＭをＬＳＩ１９０に送信し、ＬＳＩ１９０にＢ−ＣＡＳカードスロット１３０に挿入されているｍｉｎｉ共用Ｂ−ＣＡＳカードの更新処理を行わせる（Ｓ１６８０）。
【０２０７】
このように、本実施の形態にかかるＢＤレコーダ１００は、通常録画用のブロックにおいて、タイムシフト録画用のブロックにおける共用Ｂ−ＣＡＳカードのＥＭＭを取得することとした。このように構成している理由について説明する。
【０２０８】
タイムシフト録画用のブロックは、原則、使用者に選択されたチャンネルの放送を１日中受信し、受信した番組に基づいて生成した番組データをＨＤＤ１８０に記録し続けている。従って、タイムシフト録画用のブロックにおいては、通電制御情報に示されている期間に、ＥＭＭが放送されるチャンネルの放送を受信できない場合も生じ得る。そこで、本実施の形態にかかるＢＤレコーダ１００は、通常録画用のブロックにおいて、タイムシフト録画用のブロックにおける共用Ｂ−ＣＡＳカードのＥＭＭを取得することとした。
【０２０９】
４．他の実施形態
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。そこで、以下、他の実施の形態を例示する。
【０２１０】
４−１
実施の形態１においては、Ｂ−ＣＡＳカードスロット１２０に挿入されるＢ−ＣＡＳカードと、Ｂ−ＣＡＳカードスロット１３０に挿入されるＢ−ＣＡＳカードとのみを共用Ｂ−ＣＡＳカードとした。しかしながら、必ずしもこのような例に限定されない。例えば、Ｂ−ＣＡＳカードスロット１２０〜１５０に挿入される全てのＢ−ＣＡＳカードを共用Ｂ−ＣＡＳカードとしてもよい。この場合には、タイムシフト録画用のチャンネル設定画面として、図４４に示すような画面を表示してもよい。
【０２１１】
４−２
図４４は、他の実施形態におけるタイムシフト録画用のチャンネル設定画面を説明するための模式図である。図４４に示すタイムシフト用のチャンネル設定画面においては、タイムシフト録画用の各Ｂ−ＣＡＳカードと、それらのＢ−ＣＡＳカードに対して録画予約されているチャンネルを示す情報とが対応付けられている。使用者は、このタイムシフト用のチャンネル設定画面を参照することで、何れのＢ−ＣＡＳカードに対して、何れのチャンネルが録画予約されているかを一目で理解することができる。
【０２１２】
４−３
また、実施の形態１においては、ＢＤレコーダ１００の前面にフルサイズの共用Ｂ−ＣＡＳカードのＢ−ＣＡＳカードスロットを設け、ＢＤレコーダ１００の背面にフルサイズよりもサイズが小さいｍｉｎｉ共用Ｂ−ＣＡＳカード、及びｍｉｎｉ地デジ専用Ｂ−ＣＡＳカードのＢ−ＣＡＳカードスロットを設けた。しかしながら、必ずしもこのような例には限定されない。例えば、ＢＤレコーダ１００の前面にｍｉｎｉ共用Ｂ−ＣＡＳカードのＢ−ＣＡＳカードスロットを設け、ＢＤレコーダ１００の背面にフルサイズの共用Ｂ−ＣＡＳカードのＢ−ＣＡＳカードスロット、及び、フルサイズの地デジ専用Ｂ−ＣＡＳカード若しくはｍｉｎｉ地デジ専用Ｂ−ＣＡＳカードを挿入するためのＢ−ＣＡＳカードスロットを設けても良い。
【０２１３】
４−４
また、実施の形態１においては、初期設定動作において、前面の共用Ｂ−ＣＡＳカードを挿入し、さらに背面のｍｉｎｉ共用Ｂ−ＣＡＳカード及びｍｉｎｉ地デジ専用Ｂ−ＣＡＳカードの挿入を完了した段階で、初めて、図８、図９のような各Ｂ−ＣＡＳカードの状態確認画面を表示することとした。しかしながら、必ずしもこのような構成には限定されない。例えば、図５に示すような画面を表示し、使用者から共用Ｂ−ＣＡＳカードが挿入された段階で、図８に示すような確認画面を表示し、図７に示すような画面を表示し、使用者からｍｉｎｉ共用Ｂ−ＣＡＳカード、及び地デジ専用Ｂ−ＣＡＳカードが挿入された段階で、図９に示すような確認画面を表示してもよい。これにより、使用者は、Ｂ−ＣＡＳカードを挿入する都度、挿入したＢ−ＣＡＳカードの状態を確認できる。
【０２１４】
４−５
また、実施の形態１においては、Ｂ−ＣＡＳカードスロット１３０に挿入されているｍｉｎｉ共用Ｂ−ＣＡＳカードについてのみ自動的に無料視聴期間をスタートさせることとした。しかしながら、必ずしもこのような例に限定されない。例えば、Ｂ−ＣＡＳカードスロット１２０に挿入されている共用Ｂ−ＣＡＳカードとＢ−ＣＡＳカードスロット１３０に挿入されている共用Ｂ−ＣＡＳカードとの両方について自動的に無料視聴期間をスタートさせるようにしてもよい。
【０２１５】
４−６
また、実施の形態１においては、初期設定動作（お買い上げ設定）時に、Ｂ−ＣＡＳカードスロット１３０に挿入されているｍｉｎｉ共用Ｂ−ＣＡＳカードについて自動的に無料視聴期間をスタートさせることとした。しかしながら、必ずしもこのような例に限定されない。例えば、ＢＤレコーダ１００のシステムメンテナンス期間等に定期的に、Ｂ−ＣＡＳカードスロット１３０に挿入されているｍｉｎｉ共用Ｂ−ＣＡＳカードについて自動的に無料視聴期間をスタートさせてもよい（自動的にｍｉｎｉ共用Ｂ−ＣＡＳカードを用いた有料チャンネルのデスクランブル処理を実行してもよい）。
【０２１６】
このように構成した場合のメリットに関して説明する。例えば、初期設定時にアンテナ線が抜けている場合や、初期設定時に特定の有料チャンネルで無料放送が放送されているような場合、Ｂ−ＣＡＳカードスロット１３０に挿入されているｍｉｎｉ共用Ｂ−ＣＡＳカードを用いてデスクランブル処理を施そうと試みても無料視聴期間がスタートしない。この場合には、実質的に有料放送の無料視聴期間が延長される問題が解決しないこととなる。しかしながら、ＢＤレコーダ１００のシステムメンテナンス期間等に定期的に、Ｂ−ＣＡＳカードスロット１３０に挿入されているｍｉｎｉ共用Ｂ−ＣＡＳカードについて自動的に無料視聴期間をスタートさせると、初期設定時に無料視聴期間がスタートしない有料チャンネルに関しても、なるべく早い段階で無料視聴期間がスタートすることとなる。
【０２１７】
４−７
また、実施の形態１において、ＢＤレコーダ１００は、受信確認画面のための放送の受信を、チューナ１２３〜チューナ１２５の何れかのチューナを用いて実施した。また、ＢＤレコーダ１００のＬＳＩ１７０は、受信した番組データを、受信確認したいＢ−ＣＡＳカード（Ｂ−ＣＡＳカードスロット１２０〜Ｂ−ＣＡＳカードスロット１５０の何れかのＢ−ＣＡＳカードスロットに挿入されているＢ−ＣＡＳカード）を用いて、デスクランブル処理を実行した。また、ＢＤレコーダ１００は、デスクランブル処理後の画像を受信確認画面に出力した。しかしながら、必ずしもこのような例に限定されない。例えば、受信確認画面のための放送の受信を、チューナ１３３〜チューナ１５５を用いて行ってもよい。つまり、受信確認を行いたいＢ−ＣＡＳカードと関連づけられているチューナを用いて受信確認画面のための放送の受信を行ってもよい。また、受信した番組データに対する処理に関してもＬＳＩ１９０〜ＬＳＩ２１０を用いてもよい。つまり、受信確認を行いたいＢ−ＣＡＳカードと関連づけられているＬＳＩを用いて受信確認画面のためのデスクランブル処理を行ってもよい。
【０２１８】
４−８
また、実施の形態１において、ＢＤレコーダ１００は、Ｂ−ＣＡＳカードスロット１３０に挿入されているｍｉｎｉ共用Ｂ−ＣＡＳカードに対する有料放送の契約締結時にＬＳＩ１９０を用いて、このｍｉｎｉ共用Ｂ−ＣＡＳカードの通電制御情報を取得することとした。しかしながら、必ずしもこのような例には限られない。例えば、通常録画若しくは視聴用のブロックが休止している際に（電源ＯＦＦ時、メンテナンス期間中等）、ＬＳＩ１７０を用いて、Ｂ−ＣＡＳカードスロット１３０に挿入されているｍｉｎｉ共用Ｂ−ＣＡＳカードの通電制御情報を取得してもよい。このような構成によれば、有料放送の契約締結時に放送される通電制御情報だけでなく、通電期間直前に放送される通電制御情報に関しても取得できる。
【０２１９】
４−９
また、実施の形態１において、ＢＤレコーダ１００は、Ｂ−ＣＡＳカードスロット１３０に挿入されているｍｉｎｉ共用Ｂ−ＣＡＳカードが有料放送契約を締結した場合に、Ｂ−ＣＡＳカードスロット１２０に挿入されている共用Ｂ−ＣＡＳカードが有料放送契約を締結していないときに、警告画面を出力することとした（図２０参照）。しかしながら、必ずしもこのような例には限られない。例えば、ＬＳＩ１７０が各Ｂ−ＣＡＳカードの有料放送契約状態の変化の有無を定期的に検出し、契約状態に変化があった場合に、メッセージ画面の画像データを出力するような構成であってもよい。例えば、図４４Ｂに示すようなメッセージ画面の画像データを出力してもよい。または、あるＢ−ＣＡＳカードが新たな有料放送契約を締結したことを検出した場合に、「○○有料チャンネルの契約を検出しました。」といったメッセージを含んだ画面を出力したり、あるＢ−ＣＡＳカードにより有料放送がデスクランブルできなくなった場合に、「××有料チャンネルの視聴ができなくなりました。」といったメッセージを含んだ画面を出力したりしてもよい。このように、使用者にＢ−ＣＡＳカードの契約状態が変化したことを通知することで、使用者は、容易にＢ−ＣＡＳカードの契約状態が変化したことを知ることができる。
【０２２０】
４−１０
また、実施の形態１において、ＢＤレコーダ１００は、タイムシフト録画の予約設定画面において、受信確認画面を表示することとした。しかしながら、必ずしもこのような例に限定されない。例えば、受信確認画面を表示することなく、視聴確認の確認結果を示す情報（例えば「○」、「×」や「ＯＫ」、「ＮＧ」など）を表示するようにしてもよい。
【０２２１】
４−１１
また、実施の形態１においては、Ｂ−ＣＡＳカードスロット１３０に挿入されているｍｉｎｉ共用Ｂ−ＣＡＳカードにＥＭＭを通知する期間をタイムシフト録画用のブロックのメンテナンス期間とした。しかしながら、必ずしもこのような例に限定されない。例えば、ＬＳＩ１７０がＥＭＭを取得した直後に、取得したＥＭＭをＢ−ＣＡＳカードスロット１３０に挿入されているｍｉｎｉ共用Ｂ−ＣＡＳカードに通知するようにしてもよい。
【０２２２】
４−１２
また、実施の形態１においては、Ｂ−ＣＡＳカードスロット１３０に挿入されているｍｉｎｉ共用Ｂ−ＣＡＳカードが有料放送の契約を締結していること、及びＢ−ＣＡＳカードスロット１２０に挿入されている共用Ｂ−ＣＡＳカードが有料放送の契約を締結していないことをＬＳＩ１７０が検知した際に、警告画面のデータをＨＤＭＩ２２０を介して出力することとした。しかしながら、必ずしもこのような例に限定されない。例えば、Ｂ−ＣＡＳカードスロットへＢ−ＣＡＳカードが挿入されたことを検出した場合や、Ｂ−ＣＡＳカードスロットへ挿入されているＢ−ＣＡＳカードのカードＩＤが変更された場合や、Ｂ−ＣＡＳカードスロットに挿入されているＢ−ＣＡＳカードの契約内容が変更になった場合等に、警告画面のデータをＨＤＭＩ２２０を介して出力してもよい。要するに、Ｂ−ＣＡＳカードの状態変化が生じた場合に警告画面を出力すればよい。
【０２２３】
４−１３
また、実施の形態１において、ＢＤレコーダ１００は、各Ｂ−ＣＡＳカードに対する有料契約の有無を、各Ｂ−ＣＡＳカードに対する通電制御情報の有無により判断することとした。しかしながら、必ずしもこのような構成に限られない。例えば、ＢＤレコーダ１００は、有料契約の有無を判断すべきＢ−ＣＡＳカードを用いて、実際に有料番組のデスクランブル処理を実行し、デスクランブル処理の結果（成否）を参照することで、各Ｂ−ＣＡＳカードが有料放送契約を締結しているか否かを判断できる。つまり、実際にデスクランブル処理が成功した場合に、Ｂ−ＣＡＳカードは有料放送契約を締結していると判断でき、デスクランブル処理が失敗した場合、Ｂ−ＣＡＳカードは有料放送契約を締結していないと判断できる。
【０２２４】
４−１４
また、実施の形態１において、Ｂ−ＣＡＳカードスロット１３０に挿入されているｍｉｎｉ共用Ｂ−ＣＡＳカードの有料チャンネル契約がされ、Ｂ−ＣＡＳカードスロット１２０に挿入されている共用Ｂ−ＣＡＳカードの有料チャンネル契約がされていない場合に、Ｂ−ＣＡＳカードスロット１２０に挿入されている共用Ｂ−ＣＡＳカードの有料チャンネル契約を締結するよう使用者に促す画面を表示することとした（図２０参照）。しかしながら、必ずしもこのような例に限定されない。例えば、Ｂ−ＣＡＳカードスロット１２０に挿入されている共用Ｂ−ＣＡＳカードについて有料チャンネル契約がされ、Ｂ−ＣＡＳカードスロット１３０に挿入されているｍｉｎｉ共用Ｂ−ＣＡＳカードについて有料チャンネル契約がされていない場合に、Ｂ−ＣＡＳカードスロット１３０に挿入されているｍｉｎｉ共用Ｂ−ＣＡＳカードの有料チャンネル契約を締結するよう使用者に促す画面を表示してもよい。または、各Ｂ−ＣＡＳカードに対する有料チャンネル契約の有無に関わらず、各Ｂ−ＣＡＳカードの状況（例えば、有料チャンネルの契約状況）の変化が、各Ｂ−ＣＡＳカードに対応するＬＳＩにより検知された際に、ＬＳＩ１７０は、各Ｂ−ＣＡＳカードについて有料チャンネル契約を締結するよう使用者に促す画面を表示してもよい。
【０２２５】
４−１５
また、実施の形態１において、ＢＤレコーダ１００は、各Ｂ−ＣＡＳカードを用いた受信状況確認を行う際に、各チャンネルの放送に関して実際にデスクランブル処理を施した。しかしながら、必ずしもこのような構成に限定されない。例えば、各Ｂ−ＣＡＳカードに対して記憶している通電制御情報を参照することで、各Ｂ−ＣＡＳカードの受信状況を確認してもよい。
【０２２６】
４−１６
また、実施の形態１において、ＢＤレコーダ１００は、図２５に示すような受信状況の一覧を表示することとした。しかしながら、必ずしもこのような構成に限られない。例えば、受信確認結果のログファイルに含まれる確認結果のコードを表示するような構成としてもよい。この場合には、その画面にコールセンターの電話番号を併せて表示してもよい。使用者は、コールセンターに電話し、画面に表示されているコードをオペレータに伝えることで、各Ｂ−ＣＡＳカードがどのような有料放送契約を締結しているかを知れる。また、例えば、ＢＤレコーダ１００の各Ｂ−ＣＡＳカードスロットの近傍にＬＥＤやＬＣＤを配備し、有料放送契約されているＢ−ＣＡＳカードが挿入されているＢ−ＣＡＳカードスロットの近傍のＬＥＤやＬＣＤを点灯させてもよい。これによっても使用者は、何れのＢ−ＣＡＳカードが有料放送契約を締結しているのか、外観を見ただけで判断できる。
【０２２７】
４−１７
また、実施の形態１において、タイムシフト録画に用いられる共用Ｂ−ＣＡＳカードは、Ｂ−ＣＡＳカードスロット１３０に挿入されるｍｉｎｉ共用Ｂ−ＣＡＳカードのみとし、ｍｉｎｉ共用Ｂ−ＣＡＳカードのカード情報として、図９に示すようなカード情報画面を表示することとした。しかしながら、必ずしもこのような構成に限られない。例えば、タイムシフト録画に用いられる共用Ｂ−ＣＡＳカードが複数枚存在した場合に、カード情報画面として図４５に示すような画面を表示してもよい。図４５に示すような画面を表示することで、１枚のＢ−ＣＡＳカードに関して有料放送契約を締結しても３チャンネル分しか有料放送をタイムシフト録画できないこと、及び４チャンネル以上のタイムシフト録画を行いたい場合には他の共用Ｂ−ＣＡＳカードについても有料放送契約を締結する必要があることを、使用者に通知できる。また、図４５に示すような警告画面は、実際に録画設定として、４チャンネル以上の録画設定が行われている際に、初めて出力されるようにしてもよい。
【０２２８】
４−１８
また、実施の形態１において、Ｂ−ＣＡＳカードスロット１３０に挿入されているｍｉｎｉ共用Ｂ−ＣＡＳカードが別のｍｉｎｉ共用Ｂ−ＣＡＳカードに入れ替えられた場合に、図３０に示すような警告画面を表示することとした。しかしながら、必ずしもこのような構成に限られない。例えば、図４６に示すような警告画面を表示してもよい。図４６に示す警告画面は、タイムシフト録画の確認画面へのリンク（“タイムシフト録画の設定を確認しますか？  「はい」／「いいえ」”）を含んでいる。使用者は、タイムシフト録画の確認画面へのリンク（「はい」）を選択することで、タイムシフト録画設定を容易にやり直せる。例えば、入れ替える前のｍｉｎｉ共用Ｂ−ＣＡＳカードが有料放送契約を締結しているが、入れ替えた後のｍｉｎｉ共用Ｂ−ＣＡＳカードが有料放送契約を締結していないとする。そして、タイムシフト録画設定として、有料放送の有料チャンネルが設定されていたとする。このような場合には、タイムシフト録画として、何も録画されないこととなり、タイムシフト録画の録画設定をやり直す必要がある。Ｂ−ＣＡＳカードの入れ替えが発生した際に表示される警告画面がタイムシフト録画設定画面へのリンクを含むことで、使用者は、Ｂ−ＣＡＳカードの入れ替えを行った際に、併せて録画設定の変更を容易に行える。また、図４６に示す画面は、Ｂ−ＣＡＳカードの契約状態の変化を検出した場合（新たな契約ＥＭＭを受信した場合）に表示してもよい。Ｂ−ＣＡＳカードの契約状態が変化した場合にも、そのＢ−ＣＡＳカードにより受信可能な放送番組に変化が生じ、タイムシフト録画設定を変更する必要が生じ得るからである。
【０２２９】
４−１９
また、実施の形態１にかかるＢＤレコーダ１００は、さらに、放送メールを受信した際に、使用者にタイムシフト録画の設定を確認することを促すための警告画面を表示してもよい。放送メールは、共用Ｂ−ＣＡＳカードに関して有料契約を締結した場合に送られることが多いため、契約状況の変化に応じて、タイムシフト録画の録画状況を見直した方が良い場合が多いからである。
【０２３０】
４−２０
また、実施の形態１にかかるＢＤレコーダ１００は、視聴確認を行う際に、アンテナを介して受信した放送番組のデスクランブル処理を行えるか否かで行った。しかしながら、必ずしもこのような例に限定されない。例えば、各Ｂ−ＣＡＳカードに対して契約確認コマンドを送信し、そのレスポンスを解析することで何れのチャンネルを視聴できるかの視聴確認を行うような方法であってもよい。
【０２３１】
４−２１
また、実施の形態１にかかるＢＤレコーダ１００は、初期設定（お買い上げ設定）時に、図８や図９に示すような、各Ｂ−ＣＡＳカードの状態を示す画面を出力した。しかしながら、必ずしもこのような例には限定されない。例えば、図４７や図４８のような画面を出力してもよい。図４７、図４８は、初期設定（お買い上げ設定）時の表示画面を示す模式図である。
【０２３２】
図４７に示す画面は、Ｂ−ＣＡＳカードスロット１２０に挿入されている共用Ｂ−ＣＡＳカードに関する情報を表示している。この画面においては、「また、同時に有料放送チャンネルをタイムシフト録画するためには、タイムシフト録画用カード[２]での加入契約が必要です。」というメッセージを表示している。つまり、この画面は、通常録画用のＢ−ＣＡＳカードの情報を示す画面において、タイムシフト録画用のＢ−ＣＡＳカードの有料契約に関する情報を示している。
【０２３３】
一方、図４８に示す画面は、Ｂ−ＣＡＳカードスロット１３０に挿入されているｍｉｎｉ共用Ｂ−ＣＡＳカードに関する情報を表示している。この画面においては、「また、同時に有料放送チャンネルを通常録画するためには、通常録画用カード[１]での加入契約が必要です。」というメッセージを表示している。つまり、この画面は、タイムシフト録画用のＢ−ＣＡＳカードの情報を示す画面において、通常録画用のＢ−ＣＡＳカードの有料契約に関する情報を示している。
【０２３４】
このように、この例では、複数のＢ−ＣＡＳカードのうちの一部のＢ−ＣＡＳカードの情報を示す画面であって、その一部のＢ−ＣＡＳカード以外のＢ−ＣＡＳカードの有料放送契約に関するメッセージを含む画面を出力する。これにより、有料放送番組を録画するためには、Ｂ−ＣＡＳカード毎に有料放送契約を締結する必要があることを使用者に通知することができる。
【０２３５】
４−２２
また、実施の形態１にかかるＢＤレコーダ１００は、初期設定（お買い上げ設定）時に、図８や図９に示すような、各Ｂ−ＣＡＳカードの状態を示す画面を出力した。しかしながら、必ずしもこのような例には限定されない。例えば、図４９のような画面を出力してもよい。この画面は、Ｂ−ＣＡＳカードスロット１２０に挿入されている共用Ｂ−ＣＡＳカード（代表カード）の特徴である、「また、このカードＩＤ番号はデータ放送で取得あるいは使用されます。」とのメッセージを含んでいる。つまり、この画面は、Ｂ−ＣＡＳカードスロット１２０に挿入されている共用Ｂ−ＣＡＳカードが代表カードであること、また、代表カードのカードＩＤがデータ放送において取得あるいは使用されることを示している。これにより、使用者は、Ｂ−ＣＡＳカードスロット１２０に挿入されている共用Ｂ−ＣＡＳカードが代表カードであること、及びその代表カードの特徴を容易に理解できる。また、図４９に示すＢ−ＣＡＳカードの情報を示す画面においては、複数のうちの一つのＢ−ＣＡＳカード（ここでは、代表カード）の情報に加えて、そのカード（代表カード）以外のＢ−ＣＡＳカードの有料放送契約に関するメッセージとして、「また、同時に有料チャンネルをタイムシフト録画するためには、タイムシフト録画用カード（２）、（３）、（４）での加入契約が必要です。」が含まれている。これにより、使用者は、画面上で詳細な情報が表示されるＢ−ＣＡＳカード以外のカードについても有料放送契約に関する状況を把握できる。
【０２３６】
４−２３
また、実施の形態１にかかるＢＤレコーダ１００は、図８や図９のような画面を、初期設定（お買い上げ設定）時に出力することとした。しかしながら、必ずしもこのような例には限定されない。例えば、初期設定（お買い上げ設定）の完了後に、メニュー画面から各Ｂ−ＣＡＳカードの情報を表示するモードに遷移した際に表示することとしてもよい。
【０２３７】
４−２４
また、実施の形態１、２にかかるＢＤレコーダ１００におけるＢ−ＣＡＳカード挿入時の動作に関して、次のような動作を行ってもよい。その動作について、図５０を用いて説明する。図５０は、Ｂ−ＣＡＳカード挿入時の動作を説明するためのフローチャートである。ここでは、特に、共用Ｂ−ＣＡＳカードが挿入されるべきであるＢ−ＣＡＳカードスロット１２０にＢ−ＣＡＳカードが挿入された場合の動作について説明する。
【０２３８】
使用者は、Ｂ−ＣＡＳカードスロット１２０にＢ−ＣＡＳカードを挿入できる。Ｂ−ＣＡＳカードが挿入されると（Ｓ１７００）、ＬＳＩ１７０は、Ｂ−ＣＡＳカードスロット１２０に挿入されたＢ−ＣＡＳカードが共用Ｂ−ＣＡＳカードであるか否かを判断する（Ｓ１７１０）。共用Ｂ−ＣＡＳカードであると判断すると、ＬＳＩ１７０は、次の処理に移行する（Ｓ１７２０）。
【０２３９】
一方、Ｂ−ＣＡＳカードスロット１２０に挿入されたＢ−ＣＡＳカードが共用Ｂ−ＣＡＳカードでないと判断した場合には、ＬＳＩ１７０は、Ｂ−ＣＡＳカードスロット１２０に挿入されたＢ−ＣＡＳカードが地デジ専用Ｂ−ＣＡＳカードであるか否かを判断する（Ｓ１７３０）。
【０２４０】
地デジ専用Ｂ−ＣＡＳカードでないと判断すると、ＬＳＩ１７０は次の処理に移行する（Ｓ１７４０）。このように構成する理由について次に説明する。
【０２４１】
Ｂ−ＣＡＳカードとしては、共用Ｂ−ＣＡＳカード、地デジ専用Ｂ−ＣＡＳカードの他に営業担当者用Ｂ−ＣＡＳカード（白色）、開発担当者用Ｂ−ＣＡＳカード（黄色）が存在する。これらの白色カードや黄色カードは、その使用目的から様々な放送番組をデスクランブルできるように構成されている。従って、本来共用Ｂ−ＣＡＳカードが挿入されるべきＢ−ＣＡＳカードスロットに、これらの白色カードや黄色カードが挿入された際には特に警告画面等を出力することなく次の処理に移行すべきである。そこで、ステップＳ１７３０において、地デジ専用Ｂ−ＣＡＳカードでないと判断した場合には、ＬＳＩ１７０は次の処理に移行することとした。なお、Ｂ−ＣＡＳカードのカードＩＤの特定の桁を見ることで、ＬＳＩ１７０は、そのＢ−ＣＡＳカードが白色カードであるのか黄色カードであるのかに関して判断できる。
【０２４２】
一方、ステップＳ１７３０において、地デジ専用Ｂ−ＣＡＳカードであると判断すると、ＬＳＩ１７０は、現在が初期設定（お買い上げ設定）中か否かを判断する（Ｓ１７５０）。初期設定（お買い上げ設定）中でないと判断すると、ＬＳＩ１７０は、警告画面を出力し（Ｓ１７６０）、次の処理に移行する（Ｓ１７７０）。一方、初期設定（お買い上げ設定）中であると判断すると、ＬＳＩ１７０は、警告画面を出力し（Ｓ１７８０）、ステップＳ１７１０に戻り、Ｂ−ＣＡＳカードスロット１２０に挿入されるＢ−ＣＡＳカードが別のＢ−ＣＡＳカードに入れ替えられるまで同じ処理を繰り返す。
【０２４３】
このように、この構成においては、共用Ｂ−ＣＡＳカードを挿入すべきＢ−ＣＡＳカードスロットに地デジ専用Ｂ−ＣＡＳカードが挿入されていることを検出した場合、初期設定（お買い上げ設定）動作中でなければ次の処理に移行するのに対し、初期設定（お買い上げ設定）動作中であれば、Ｂ−ＣＡＳカードスロットに挿入されているＢ−ＣＡＳカードを別のＢ−ＣＡＳカードに入れ替えない限り次の処理に移行しない。これにより、この構成によるＢＤレコーダ１００は、初期設定（お買い上げ設定）時にＢ−ＣＡＳカードスロットに正しいＢ−ＣＡＳカードを挿入させることができる。
【０２４４】
４−２５
また、実施の形態２において、ＢＤレコーダ１００は、各Ｂ−ＣＡＳカードにシールを貼ることを使用者に促す画面を初期設定動作時に表示することとした。しかしながら、必ずしもこのような構成に限定されない。例えば、Ｂ−ＣＡＳカードの入れ替えを検出した場合に、シールを貼ることを使用者に促す画面を表示してもよい。要するに、各Ｂ−ＣＡＳカードにシールを貼ることを使用者に促すことができれば、どのようなタイミングで表示してもよい。
【０２４５】
４−２６
実施の形態１における図４のフローチャートで示した動作において、前面のカードスロット１２０及び背面のカードスロット１３０〜１５０の全てにおいてＢ−ＣＡＳカードが挿入されている場合にのみ（Ｓ２３０でＹＥＳ、Ｓ２８０でＹＥＳ）、カード状態確認画面（図８、図９）を表示するステップに進むとした（Ｓ２９０、Ｓ３００）。しかしながら、このような制御には限定されない。一部のスロットにおいてＢ−ＣＡＳカードが挿入されていない場合でも、カード状態確認画面を表示するステップ（Ｓ３００）に進むように制御してもよい。この場合は、一部のスロットにおいてＢ−ＣＡＳカードの挿入が検出されなかったときに、図５１に示すような、視聴や録画の機能において不具合が発生する可能性がある旨の警告を示す画面を表示した上で、カード状態確認画面を表示するステップ（Ｓ３００）に進むようにするのが好ましい。
【０２４６】
４−２７
実施の形態１における図１０のフローチャートで示した動作の説明においては、ＢＤレコーダ１００の初期設定時に、有料放送をデスクランブル可能なＢ−ＣＡＳカードを使用して有料チャンネルのデスクランブル処理を実行し（Ｓ４１０）、これにより、そのＢ−ＣＡＳカードの無料視聴期間を自動的にスタートさせた。しかしながら、Ｂ−ＣＡＳカードスロット１３０に挿入されたｍｉｎｉ共用Ｂ−ＣＡＳカード（タイムシフト録画において有料放送をデスクランブル可能なＢ−ＣＡＳカード）を使用して有料チャンネルのデスクランブル処理を最初に実行するタイミングは、ＢＤレコーダ１００の初期設定時に限定されない。例えば、ＢＤレコーダ１００のメンテナンス期間に、当該Ｂ−ＣＡＳカードを使用して有料チャンネルのデスクランブル処理を実行し、そのＢ−ＣＡＳカードの無料視聴期間を自動的にスタートさせるようにしてもよい。
【０２４７】
４−２８  （タイムシフト録画用チャンネルの自動マッピング）
上記の各実施形態のＢＤレコーダ１００においてさらに、タイムシフト録画のために使用者により設定された録画チャンネルを、複数の共用Ｂ−ＣＡＳカードに対して自動的に割り当てる自動マッピング機能を設けてもよい。以下、このタイムシフト録画用チャンネルの自動マッピング機能について２つの例を説明する。
【０２４８】
（１）第１の例（赤色カードと赤色カードの組み合わせ）
ここでは、ＢＤレコーダ１００は図５２に示すような構成を有するとする。図５２に示す構成では、タイムシフト録画用の３つのB-CAＳカードスロットのうちの２つのカードスロット１３０、１４０ｂは、ＢＳ、ＣＳ、地上デジタル放送に対応しているＢ−ＣＡＳカードを挿入可能なカードスロットとなっている。これらのB-CAＳカードスロット１３０、１４０ｂに挿入された２つのＢ−ＣＡＳカードに対する録画用チャンネルの自動マッピング機能について説明する。
【０２４９】
使用者は、図５２Ｂに示すような録画チャンネル設定画面において、タイムシフト録画用のチャンネルを最大６チャンネルまで設定できる。この設定画面上で使用者によりチャンネルが設定されると、設定されたチャンネルが、Ｂ−ＣＡＳカードスロット１３０に挿入されたＢ−ＣＡＳカード及びＢ−ＣＡＳカードスロット１４０ｂに挿入されたＢ−ＣＡＳカードのいずれかに対して自動で割り当てられる。以下、この自動マッピングの動作を図５３Ａ〜図５３Ｃのフローチャートを用いて説明する。
【０２５０】
ＬＳＩ１７０は、Ｂ−ＣＡＳカードスロット１３０に挿入されたＢ−ＣＡＳカード（以下「カード（１）」という）及びＢ−ＣＡＳカードスロット１４０ｂに挿入されたＢ−ＣＡＳカード（以下「カード（２）」という）から、カード情報及び設定チャンネル情報を取得する（Ｓ２０００）。ＬＳＩ１７０は、取得したカード情報から、カード契約状況を取得する（Ｓ２０１０）。具体的には、ＬＳＩ１７０は、通電制御の事業体識別コードから、事業体（放送事業者）を判別する。また、ＬＳＩ１７０は通電開始基準日に基づいて契約の状態を確認する。具体的には、通電開始基準日が現在の日付より未来であれば、「契約が有効」とする。現在の状況が”無料お試し期間”であるときは「契約済み」、仮視聴のときは「未契約」とする。カード情報が取得できない場合は、「契約なし」とする。
【０２５１】
次に、ＬＳＩ１７０は、使用者により設定された１つのチャンネルがＢＳ放送またはＣＳ放送のいずれかであるかを判断する（Ｓ２０２０）。使用者により設定された１つのチャンネルがＢＳ放送またはＣＳ放送のいずれかである場合、チューナ１３３〜１３５及びチューナ１４３ｂ〜１４５ｂの中の１つのチューナにより、使用者により設定されたチャンネルの放送を受信する（Ｓ２０３０）。ＬＳＩ１７０は、使用者により設定されたチャンネルが有料か無料かを判断する（Ｓ２０４０、Ｓ２０５０）。例えば、ＳＤＴのfree_CA_mode＝１であれば、有料チャンネルであると判断し、そうでなければ、無料チャンネルであると判断する。
【０２５２】
有料チャンネルの場合（Ｓ２０５０でＹＥＳ）、ＣＡサービス記述に基づいて、サービスＩＤ（チャンネルを特定する情報）と事業体とを関連づけてチャンネルリストに記録する（Ｓ２０６０）。チャンネルリストは例えばＨＤＤ１８０に保持される。
【０２５３】
使用者により設定された全てのチャンネルについて上記の処理（Ｓ２０２０〜Ｓ２０６０）を行う（Ｓ２０７０）。
【０２５４】
使用者により設定された全てのチャンネルについて処理が終了すると、チャンネルリスト内の情報をソートする。ここでは、有料放送のチャンネルが無料放送のチャンネルよりも上位になるようにソートする（Ｓ２０８０）。これは、後段の処理において、有料放送のチャンネルが優先的に処理されるようにするためである。
【０２５５】
チャンネルリストのソート後、カード（１）及びカード（２）のそれぞれに割り当てたチャンネルの数を示すカウンタｎ１、ｎ２の値を０にセットする（図５３ＢのＳ２１００）。チャンネルリストを参照し、カードに割り当てるべきチャンネル（以下「対象チャンネル」という）を決定する（Ｓ２１１０）。このとき、チャンネルリストにおいて、有料放送のチャンネルが無料放送のチャンネルよりも上位になるようにソートされているので、有料放送のチャンネルが無料放送のチャンネルよりも先に対象チャンネルとして選択され、先にカードに割り当てられるようになっている。
【０２５６】
ＬＳＩ１７０は、カウンタｎ１の値が３以上であるか否かを判定する（Ｓ２１２０）。つまり、カード（１）において、空きチャンネルがあるか否かを判定する。カウンタｎ１の値が３以上であるとき、カード（１）において空きチャンネルがないことを意味するので、ＬＳＩ１７０は対象チャンネルをカード（２）に割り当てる（Ｓ２１３０）。そして、カウンタｎ２の値をカウントアップする（Ｓ２１４０）。
【０２５７】
一方、カウンタｎ１の値が３未満であるときは、ＬＳＩ１７０はさらに、カウンタｎ２の値が３以上であるか否かを判定する（Ｓ２１２０）。ここで、カウンタｎ１及びカウンタｎ２の値の双方が３未満であることは、カード（１）及びカード（２）の双方において空きチャンネルがあることを意味し、双方のカードに対してチャンネルを割り当てることが可能となる。
【０２５８】
ステップＳ２１５０においてカウンタｎ２の値が３未満であるとき、ＬＳＩ１７０は、対象チャンネルが無料放送のチャンネルか否かを判定する（図５３ＣのＳ２２００）。無料放送のチャンネルでないとき、すなわち、有料放送のチャンネルであるとき、カード（１）に既に対象チャンネルの事業体と同じ事業体のチャンネルの契約があるか否かを判定する（Ｓ２２６０）。同じ事業体のチャンネルの契約がある場合、ＬＳＩ１７０は、対象チャンネルをカード（１）に割り当て（Ｓ２２７０）、カウンタｎ１をカウントアップする（Ｓ２２８０）。
【０２５９】
一方、カード（１）に、対象チャンネルの事業体と同じ事業体のチャンネルの契約がない場合、ＬＳＩ１７０は、対象チャンネルをカード（２）に割り当て（Ｓ２２９０）、カウンタｎ２をカウントアップする（Ｓ２３００）。
【０２６０】
ステップＳ２２００において、無料放送のチャンネルであるとき、ＬＳＩ１７０は、カード（１）に有料チャンネルの契約があるか否かを判断する（Ｓ２２１０）。カード（１）に有料チャンネルの契約がないとき、ＬＳＩ１７０は、対象チャンネルをカード（１）に割り当て（Ｓ２２２０）、カウンタｎ１をカウントアップする（Ｓ２２３０）。一方、カード（１）に有料チャンネルの契約があるとき、ＬＳＩ１７０は、対象チャンネルをカード（２）に割り当て（Ｓ２２４０）、カウンタｎ２をカウントアップする（Ｓ２２５０）。
【０２６１】
以上のようにして対象チャンネルがカード（１）またはカード（２）に割り当てられると、ＬＳＩ１７０の制御は図５３ＢのフローチャートにおけるステップＳ２１８０に戻る。そして、カード（１）及びカード（２）に空きチャンネルが無くなるまで、上記処理が繰り返される。
【０２６２】
一般に、１つの事業体が複数の有料チャンネルを提供する場合がある。そのような事業体の複数の有料チャンネルが複数のカードに亘って割り当てられると、契約カード毎に契約を締結する必要がある場合があり、使用者にとって不利益を生じる。そこで、以上のようにカードの契約状況と設定チャンネルの属性とに基づき、チャンネルをカードに割り当てることにより、有料放送を提供する１つの事業体の複数のチャンネルを、カード（１）及びカード（２）のいずれか一方にまとめて自動で割り当てることができる。これによって、使用者の便宜を図ることができる。
【０２６３】
（１）第２の例（赤色カードと青色カードの組み合わせ）
ここでは、図５４Ｂに示すような構成を有するＢＤレコーダにおける、タイムシフト録画用の２つのB-CAＳカードスロット１３０、１４０に挿入された２つのＢ−ＣＡＳカードに対する自動マッピング機能について説明する。B-CAＳカードスロット１３０はＢＳ、ＣＳ、および地上デジタル放送に対応しているＢ−ＣＡＳカードを挿入可能であるが、B-CAＳカードスロット１４０は地上デジタル放送のみに対応しているＢ−ＣＡＳカードしか挿入できない。
【０２６４】
B-CAＳカードスロット１４０に挿入されるB-CAＳカードは地上デジタル放送のみにしか対応していない。よって、本例では、図５４に示すような録画チャンネル設定画面上において、タイムシフト録画用のチャンネルは最大で６チャンネルまで設定できるが、そのうちＢＳ放送およびＣＳ放送については最大３チャンネルまでしか設定できないようになっている。
【０２６５】
以下、この例の自動マッピングの動作を図５３Ａおよび図５３Ｄのフローチャートを用いて説明する。以下では、Ｂ−ＣＡＳカードスロット１３０に挿入されたＢ−ＣＡＳカードを「カード（１）といい、Ｂ−ＣＡＳカードスロット１４０に挿入されたＢ−ＣＡＳカードを「カード（２）という。
本例においても、設定画面上での設定にしたがい、カード情報等の取得、有料チャンネルの判定、チャンネルリストのソート等の処理（図５３ＡのフローチャートにおけるステップＳ２０００〜Ｓ２０６０）が実施される。
【０２６６】
チャンネルリストのソート後、カード（１）及びカード（２）のそれぞれに割り当てたチャンネルの数を示すカウンタｎ１、ｎ２の値を０にセットする（図５３ＤのＳ２５００）。チャンネルリストを参照し、カードに割り当てるべきチャンネル（以下「対象チャンネル」という）を決定する（Ｓ２５１０）。このとき、チャンネルリストにおいて、有料放送のチャンネルが無料放送のチャンネルよりも上位になるようにソートされているので、有料放送のチャンネルが無料放送のチャンネルよりも先に対象チャンネルとして選択され、先にカードに割り当てられるようになっている。
【０２６７】
ＬＳＩ１７０は、対象チャンネルがＢＳ放送またはＣＳ放送のいずれかであるかを判断する（Ｓ２５２０）。対象チャンネルがＢＳ放送またはＣＳ放送であるとき、ＬＳＩ１７０は対象チャンネルをカード（１）に割り当て（Ｓ２５３０）、カウンタｎ１の値をカウントアップする（Ｓ２５４０）。カード（１）にＢＳ放送またはＣＳ放送のチャンネルを割り当てるのは、カード（２）が地上デジタル放送のみに対応したＢ−ＣＡＳカードであるからである。
【０２６８】
一方、対象チャンネルがＢＳ放送またはＣＳ放送のいずれでもないとき、ＬＳＩ１７０はさらに、カウンタｎ２の値が３以上であるか否かを判定する（Ｓ２５５０）。ここで、カウンタｎ１及びカウンタｎ２の値の双方が３未満であることは、カード（２）において空きチャンネルがあることを意味し、カード（２）に対してチャンネルを割り当てることができることを意味する。
【０２６９】
ステップＳ２５５０においてカウンタｎ２の値が３未満であるとき、すなわち、カード（２）において空きチャンネルがあるとき、ＬＳＩ１７０は対象チャンネルをカード（２）に割り当て（Ｓ２５８０）、カウンタｎ２の値をカウントアップする（Ｓ２５９０）。一方、カウンタｎ２の値が３未満でないとき、すなわち、カード（２）において空きチャンネルがないとき、ＬＳＩ１７０は対象チャンネルをカード（１）に割り当て（Ｓ２５６０）、カウンタｎ１の値をカウントアップする（Ｓ２５７０）。
【０２７０】
そして、カード（１）及びカード（２）に空きチャンネルが無くなるまで、上記処理が繰り返される（Ｓ２６００）。
【０２７１】
以上のようにチャンネルをカードに割り当てることで、ＢＳ放送、ＣＳ放送および地上デジタル放送に対応したＢ−ＣＡＳカードと、地上デジタル放送のみに対応したＢ−ＣＡＳカードとの組み合わせに対して、タイムシフト録画用のチャンネルを自動的に適切に割り当てることができる。
なお、本例（赤色カードと青色カードの組み合わせ）においては、有料放送のチャンネルが無料放送のチャンネルよりも上位になるようにソートすることは必ずしも必要ではない。各チャンネルがどのような順序で並んでいたとしても、有料放送のチャンネルは、優先的に赤色カードに割り振られる一方、無料放送のチャンネルは、優先的に青色カードに割り振られるからである。
【０２７２】
４−２９
セクション「１−４−２−２」で説明したタイムシフト録画予約動作において、図１２に示す予約画面上でチャンネルが設定されると、設定されたチャンネルに対して視聴確認を行い（セクション「１−４−１０」の説明参照）、その設定されたチャンネルの受信が不可である場合、予約画面上でそのチャンネルに対して、受信不可の原因（有料チャンネルの未契約、アンテナ未接続、Ｂ−ＣＡＳカードの未挿入／誤挿入、等）を示すメッセージや画像を表示させてもよい。例えば、図５５に示すように、そのチャンネルの情報の近傍に、受信不可の原因（未契約）を示すアイコン３２０を表示させてもよい。
【０２７３】
４−３０
図３４を参照して説明した録画予約状況の一覧情報の「視聴項目」が「未契約」になっている場合、ＬＳＩ１７０は、ＢＤレコーダ１００の電源がオンされたときに、警告を示すメッセージや画像を画面に表示させるようにしてもよい。例えば、「○○○チャンネルについて契約がなされていません。」等のメッセージを画面にポップアップ表示させるようにしてもよい。
【０２７４】
４−３１
上記の実施形態では、信号処理装置の一例としてＢＤレコーダを用いて説明したが、本開示の思想は、ＢＤレコーダに限定されず、ＤＶＤレコーダ、ＨＤＤレコーダ、フラッシュメモリを用いたレコーダ、パーソナルコンピュータ等の種々の信号処理装置に適用することができる。すなわち、本開示の思想は、複数のデスクランブル用のカード（例えば、Ｂ−ＣＡＳカード）を使用でき、各Ｂ−ＣＡＳカードを用いてデスクランブル処理を行う信号処理装置であれば、適用可能である。
【産業上の利用可能性】
【０２７５】
本開示は、ＢＤレコーダ、ＤＶＤレコーダ、ＨＤＤレコーダ、フラッシュメモリを用いたレコーダ、パーソナルコンピュータ等の信号処理装置に適用できる。
【符号の説明】
【０２７６】
１００    ＢＤレコーダ
１１０    ＢＤドライブ
１２０    Ｂ−ＣＡＳカードスロット
１２１    地デジアンテナ取付部
１２２    ＢＳ／ＣＳアンテナ取付部
１３０    Ｂ−ＣＡＳカードスロット
１３１    地デジアンテナ取付部
１３２    ＢＳ／ＣＳアンテナ取付部
１４０    Ｂ−ＣＡＳカードスロット
１４１    地デジアンテナ取付部
１４２    ＢＳ／ＣＳアンテナ取付部
１５０    Ｂ−ＣＡＳカードスロット
１５１    地デジアンテナ取付部
１５２    ＢＳ／ＣＳアンテナ取付部
【図１】
2014014068.tif 000005
【図２】
2014014068.tif 000006
【図３】
2014014068.tif 000007
【図４】
2014014068.tif 000008
【図５】
2014014068.tif 000009
【図６】
2014014068.tif 000010
【図７】
2014014068.tif 000011
【図７Ｂ】
2014014068.tif 000012
【図８】
2014014068.tif 000013
【図９】
2014014068.tif 000014
【図１０】
2014014068.tif 000015
【図１１】
2014014068.tif 000016
【図１２】
2014014068.tif 000017
【図１３】
2014014068.tif 000018
【図１４】
2014014068.tif 000019
【図１５】
2014014068.tif 000020
【図１６】
2014014068.tif 000021
【図１７】
2014014068.tif 000022
【図１８】
2014014068.tif 000023
【図１９】
2014014068.tif 000024
【図２０】
2014014068.tif 000025
【図２１】
2014014068.tif 000026
【図２２】
2014014068.tif 000027
【図２３】
2014014068.tif 000028
【図２４】
2014014068.tif 000029
【図２５】
2014014068.tif 000030
【図２６】
2014014068.tif 000031
【図２７】
2014014068.tif 000032
【図２８】
2014014068.tif 000033
【図２９】
2014014068.tif 000034
【図３０】
2014014068.tif 000035
【図３１】
2014014068.tif 000036
【図３２】
2014014068.tif 000037
【図３３】
2014014068.tif 000038
【図３４】
2014014068.tif 000039
【図３５】
2014014068.tif 000040
【図３６】
2014014068.tif 000041
【図３７】
2014014068.tif 000042
【図３８】
2014014068.tif 000043
【図３９】
2014014068.tif 000044
【図４０】
2014014068.tif 000045
【図４１】
2014014068.tif 000046
【図４２】
2014014068.tif 000047
【図４３】
2014014068.tif 000048
【図４４】
2014014068.tif 000049
【図４４Ｂ】
2014014068.tif 000050
【図４５】
2014014068.tif 000051
【図４６】
2014014068.tif 000052
【図４７】
2014014068.tif 000053
【図４８】
2014014068.tif 000054
【図４９】
2014014068.tif 000055
【図５０】
2014014068.tif 000056
【図５１】
2014014068.tif 000057
【図５２】
2014014068.tif 000058
【図５２Ｂ】
2014014068.tif 000059
【図５３Ａ】
2014014068.tif 000060
【図５３Ｂ】
2014014068.tif 000061
【図５３Ｃ】
2014014068.tif 000062
【図５３Ｄ】
2014014068.tif 000063
【図５４】
2014014068.tif 000064
【図５４Ｂ】
2014014068.tif 000065
【図５５】
2014014068.tif 000066